(57)【要約】  本願の実施形態は、データ伝送方法、端末デバイス、およびネットワーク側デバイスを提供する。方法は、端末デバイスが第１識別子ＩＤを受信する段階と、端末デバイスが端末デバイスのモビリティ情報を第１ネットワーク側デバイスに示す段階と、端末デバイスが第１ネットワーク側デバイスによって示されたターゲットグラントフリー情報を受信する段階とを含み、ここで、ターゲットグラントフリーリソースは専用グラントフリーリソースまたは汎用グラントフリーリソースであり、専用グラントフリーリソースを用いることによって端末デバイスによって第１ネットワーク側デバイスに送信されるデータ情報は、端末デバイスによって送信されるデータを含み、汎用グラントフリーリソースを用いることによって端末デバイスによって第１ネットワーク側デバイスに送信されるデータ情報は、端末デバイスによって送信されるデータおよび第１ＩＤを含む。先述の技術的解決手段によれば、端末デバイスはネットワーク側デバイスによって特定されたグラントフリーリソースを取得し得、ネットワーク側デバイスによって特定されたグラントフリーリソースに基づいてネットワーク側デバイスにデータを送信する。
2020502891.tif 000002
【特許請求の範囲】
【請求項１】
データ伝送方法であって、
端末デバイスが第１識別子ＩＤを受信する段階であって、前記第１ＩＤは第１ネットワーク側デバイスによって前記端末デバイスに割り当てられたＩＤであり、前記端末デバイスは第１エリアに位置し、前記第１エリアは前記第１ネットワーク側デバイスがサービスを提供するエリアであり、前記第１ＩＤは前記第１エリアにおいて有効である、段階と、
前記端末デバイスが前記端末デバイスのモビリティ情報を前記第１ネットワーク側デバイスに示す段階と、
前記端末デバイスが、前記第１ネットワーク側デバイスによって示されたターゲットグラントフリー情報を受信する段階であって、前記ターゲットグラントフリーリソースは専用グラントフリーリソースまたは汎用グラントフリーリソースであり、前記専用グラントフリーリソースを用いることによって前記端末デバイスによって前記第１ネットワーク側デバイスに送信されるデータ情報は、前記端末デバイスによって送信されるデータを含み、前記汎用グラントフリーリソースを用いることによって前記端末デバイスによって前記第１ネットワーク側デバイスに送信されるデータ情報は、前記端末デバイスによって送信されるデータ、および前記第１ＩＤを含む、段階とを備える、
方法。
【請求項２】
前記端末デバイスが、前記端末デバイスのモビリティ情報を前記第１ネットワーク側デバイスに示す前記段階は、
前記端末デバイスが、前記モビリティ情報を判定して、前記第１ネットワーク側デバイスに前記モビリティ情報を送信する段階、または、
前記端末デバイスが、前記第１ネットワーク側デバイスに第１データ情報を送信する段階であって、前記第１データ情報は、前記第１ＩＤおよび前記端末デバイスによって送信されるデータを含む、段階を含む、
請求項１に記載の方法。
【請求項３】
前記端末デバイスが前記モビリティ情報を判定する前記段階は、
前記端末デバイスが前記端末デバイスのステータス情報を取得する段階であって、前記端末デバイスの前記ステータス情報は前記端末デバイスの位置情報および／または前記端末デバイスのモビリティ属性を含む、段階と、
前記端末デバイスが、前記端末デバイスの前記ステータス情報に基づいて前記端末デバイスの前記モビリティ情報を判定する段階と
を含む、請求項２に記載の方法。
【請求項４】
前記方法はさらに、
前記ターゲットグラントフリーリソースが前記専用グラントフリーリソースである旨を決定したとき、前記端末デバイスが、前記専用グラントフリーリソースを用いることによって前記第１ネットワーク側デバイスに第２データ情報を送信する段階であって、前記第２データ情報は、前記端末デバイスによって送信されるデータを含む段階、または、
前記ターゲットグラントフリーリソースが前記汎用グラントフリーリソースである旨を決定したとき、前記端末デバイスが、前記汎用グラントフリーリソースを用いることによって前記第１ネットワーク側デバイスに第３データ情報を送信する段階であって、前記第３データ情報は前記端末デバイスによって送信されるデータ、および前記第１ＩＤを含む、段階を備える、
請求項１から３のいずれか一項に記載の方法。
【請求項５】
前記ターゲットグラントフリーリソースが前記専用グラントフリーリソースであるとき、前記方法はさらに、
前記端末デバイスが、前記第１ネットワーク側デバイスによって送信される前記ターゲットグラントフリーリソースの有効範囲を受信する段階と、
前記端末デバイスが、前記ターゲットグラントフリーリソースの前記有効範囲を超過しているかどうか判定する段階であって、
前記ターゲットグラントフリーリソースの前記有効範囲を超過していない場合、前記専用グラントフリーリソースを用いることによって第２データ情報を前記第１ネットワーク側デバイスに送信する段階であって、前記第２データ情報は、前記端末デバイスによって送信されるデータを含む段階、または、
前記ターゲットグラントフリーリソースの有効範囲を超過している場合、前記汎用グラントフリーリソースを用いることによって第３データ情報を前記第１ネットワーク側デバイスに送信する段階であって、前記第３データ情報は前記端末デバイスによって送信されるデータ、および前記第１ＩＤを含む、段階とを備える、
請求項１から３のいずれか一項に記載の方法。
【請求項６】
前記端末デバイスが前記汎用グラントフリーリソースを用いることによって前記第２データ情報を前記第１ネットワーク側デバイスに送信する前記段階の前に、前記方法はさらに、
前記端末デバイスが、前記端末デバイスが前記第１エリアに位置する旨を決定する段階を備える、請求項４または５に記載の方法。
【請求項７】
前記端末デバイスが、前記端末デバイスのモビリティ情報を前記第１ネットワーク側デバイスに示す前記段階の前に、前記方法はさらに、
前記端末デバイスが、第２エリアから前記第１エリアに移動する旨を決定する段階であって、第２ネットワーク側デバイスが前記第２エリアにおいてサービスを提供する、段階をさらに含む、
請求項１から６のいずれか一項に記載の方法。
【請求項８】
データ伝送方法であって、
ネットワーク側デバイスが、第１識別子ＩＤを端末デバイスに割り当てる段階であって、前記端末デバイスは第１エリアに位置し、前記第１エリアは前記ネットワーク側デバイスがサービスを提供するエリアであり、前記第１ＩＤは前記第１エリアにおいて有効である、段階と、
前記ネットワーク側デバイスが、前記端末デバイスのモビリティ情報を取得する段階と、
前記ネットワーク側デバイスが、前記モビリティ情報に基づいてターゲットグラントフリーリソースを判定する段階であって、前記ターゲットグラントフリーリソースは専用グラントフリーリソースまたは汎用グラントフリーリソースであり、前記汎用グラントフリーリソースを用いることによって前記ネットワーク側デバイスによって受信されたデータ情報は、データおよび前記データを送信する端末デバイスのＩＤを含み、前記専用グラントフリーリソースを用いることによって前記端末デバイスによって受信されたデータ情報は、データを含む、段階と、
前記ネットワーク側デバイスが、前記ターゲットグラントフリーリソースを前記端末デバイスに示す段階とを備える
方法。
【請求項９】
前記ネットワーク側デバイスが前記モビリティ情報に基づいてターゲットグラントフリーリソースを判定する前記段階は、
前記端末デバイスの位置が固定されているとき、前記ネットワーク側デバイスが、前記ターゲットグラントフリーリソースが前記専用グラントフリーリソースである旨を決定する段階、または、
前記端末デバイスの位置が固定されていないとき、前記ネットワーク側デバイスが、前記ターゲットグラントフリーリソースが前記汎用ターゲットグラントフリーリソースである旨を決定する段階を備える、請求項８に記載の方法。
【請求項１０】
前記ネットワーク側デバイスが前記モビリティ情報に基づいてターゲットグラントフリーリソースを判定する前記段階は、
前記端末デバイスの位置が固定されるか、前記端末デバイスの位置変化が指定範囲内であるとき、前記ネットワーク側デバイスが、前記ターゲットグラントフリーリソースが前記専用グラントフリーリソースである旨を決定する段階、または、
前記端末デバイスの位置変化が前記指定範囲を超過するとき、前記ネットワーク側デバイスが、前記ターゲットグラントフリーリソースが前記汎用ターゲットグラントフリーリソースである旨を決定する段階を備える、
請求項８に記載の方法。
【請求項１１】
前記ネットワーク側デバイスによって判定された前記ターゲットグラントフリーリソースが前記専用グラントフリーリソースであるとき、前記方法はさらに、
前記ネットワーク側デバイスが、専用グラントフリーリソースの有効範囲を判定する段階と、
前記ネットワーク側デバイスが、前記有効範囲を前記端末デバイスに送信する段階とを備える、
請求項９または１０に記載の方法。
【請求項１２】
前記ネットワーク側デバイスによって判定された前記ターゲットグラントフリーリソースが前記専用グラントフリーリソースであるとき、方法はさらに、
前記ネットワーク側デバイスが、前記専用グラントフリーリソースを用いることによって第１データメッセージを受信する段階と、
前記ネットワーク側デバイスが、前記第１データメッセージによって保持されるデータが前記端末デバイスによって送信される旨を決定する段階とを備える、
請求項９から１１のいずれか一項に記載の方法。
【請求項１３】
前記方法はさらに、
前記ネットワーク側デバイスが、前記汎用グラントフリーリソースを用いることによって第２データメッセージを受信する段階と、
前記ネットワーク側デバイスが、前記第２データメッセージによって保持されるＩＤが前記第１ＩＤである旨を決定する段階と、
前記ネットワーク側デバイスが、前記第２データメッセージによって保持されたデータが前記端末デバイスによって送信される旨を決定する段階とを備える、
請求項９から１１のいずれか一項に記載の方法。
【請求項１４】
前記ネットワーク側デバイスが、前記端末デバイスのモビリティ情報を取得する前記段階は、
前記ネットワーク側デバイスが、前記端末デバイスによって送信された前記モビリティ情報を受信する段階、または、
前記ネットワーク側デバイスが、前記モビリティ情報を判定する段階を備える、
請求項８から１３のいずれか一項に記載の方法。
【請求項１５】
前記ネットワーク側デバイスが前記モビリティ情報を判定する前記段階は、
前記ネットワーク側デバイスが、前記汎用グラントフリーリソースを用いることによって第３データメッセージを受信する段階であって、前記第３データメッセージは前記第１ＩＤを保持する、段階と、
前記ネットワーク側デバイスが、前記第３データメッセージに基づいて前記モビリティ情報を判定する段階とを備える、
請求項１４に記載の方法。
【請求項１６】
端末デバイスであって、
前記端末デバイスは受信ユニットおよび送信ユニットを備え、
前記受信ユニットは第１識別子ＩＤを受信するように構成され、前記第１ＩＤは第１ネットワーク側デバイスによって前記端末デバイスに割り当てられたＩＤであり、前記端末デバイスは第１エリアに位置し、前記第１エリアは、前記第１ネットワーク側デバイスがサービスを提供するエリアであり、前記第１ＩＤは前記第１エリアにおいて有効であり、
前記送信ユニットは、前記端末デバイスのモビリティ情報を前記第１ネットワーク側デバイスに示すように構成され、前記受信ユニットはさらに、前記第１ネットワーク側デバイスによって示されたターゲットグラントフリー情報を受信するように構成され、前記ターゲットグラントフリーリソースは専用グラントフリーリソースまたは汎用グラントフリーリソースであり、前記専用グラントフリーリソースを用いることによって前記第１ネットワーク側デバイスに送信ユニットによって送信されるデータ情報は、前記端末デバイスによって送信されるデータを含み、前記汎用グラントフリーリソースを用いることによって前記第１ネットワーク側デバイスに前記送信ユニットによって送信されるデータ情報は、前記端末デバイスによって送信されるデータ、および前記第１ＩＤを含む、
端末デバイス。
【請求項１７】
前記端末デバイスはさらに、
前記モビリティ情報を判定するように構成される第１プロセスユニットを備え、
前記送信ユニットは、前記第１プロセスユニットによって判定された前記モビリティ情報を前記第１ネットワーク側デバイスに送信するように構成される、
請求項１６に記載の端末デバイス。
【請求項１８】
前記送信ユニットは、前記第１ネットワーク側デバイスに第１データ情報を送信するように具体的に構成され、前記第１データ情報は前記第１ＩＤおよび前記端末デバイスによって送信されたデータを含む、請求項１６に記載の端末デバイス。
【請求項１９】
前記第１プロセスユニットは、前記端末デバイスのステータス情報を取得し、前記端末デバイスの前記ステータス情報に基づいて前記端末デバイスの前記モビリティ情報を判定するように具体的に構成され、前記端末デバイスの前記ステータス情報は、前記端末デバイスの位置情報および／または前記端末デバイスのモビリティ属性を含む、請求項１７に記載の端末デバイス。
【請求項２０】
前記送信ユニットはさらに、前記ターゲットグラントフリーリソースが前記専用グラントフリーリソースであるとき、前記専用グラントフリーリソースを用いることによって前記第１ネットワーク側デバイスに第２データ情報を送信するように構成され、前記第２データ情報は前記端末デバイスによって送信されたデータを含み、または、
前記送信ユニットはさらに、前記ターゲットグラントフリーリソースが前記汎用グラントフリーリソースであるとき、前記汎用グラントフリーリソースを用いることによって前記第１ネットワーク側デバイスに第３データ情報を送信するように構成され、前記第３データ情報は前記端末デバイスによって送信されたデータ、および前記第１ＩＤを含む、
請求項１６から１９のいずれか一項に記載の端末デバイス。
【請求項２１】
前記受信ユニットはさらに、第１ネットワーク側デバイスによって送信された前記ターゲットグラントフリーリソースの有効範囲を受信するように構成され、
前記送信ユニットはさらに、前記ターゲットグラントフリーリソースの前記有効範囲を超過していないとき、前記専用グラントフリーリソースを用いることによって第２データ情報を前記第１ネットワーク側デバイスに送信するように構成され、または、前記ターゲットグラントフリーリソースの前記有効範囲を超過しているとき、汎用グラントフリーリソースを用いることによって第３データ情報を前記第１ネットワーク側デバイスに送信するように構成され、前記第２データ情報は前記端末デバイスによって送信されるデータを含み、前記第３データ情報は、前記端末デバイスによって送信されるデータ、および前記第１ＩＤを含む、
請求項１６から１９のいずれか一項に記載の端末デバイス。
【請求項２２】
前記端末デバイスはさらに、前記端末デバイスが前記第１エリアに位置する旨を決定するように構成される第２プロセスユニットを備える、請求項２０または２１に記載の端末デバイス。
【請求項２３】
前記端末デバイスは、前記端末デバイスが第２エリアから前記第１エリアに移動する旨を決定するように構成される第３プロセスユニットをさらに備え、第２ネットワーク側デバイスが前記第２エリアにおいてサービスを提供する、請求項１６から２２のいずれか一項に記載の端末デバイス。
【請求項２４】
プロセスユニットと、送信ユニットと、受信ユニットとを備えるネットワーク側デバイスであって、
前記プロセスユニットは第１識別子ＩＤを端末デバイスに割り当てるように構成され、前記端末デバイスは第１エリアに位置し、前記第１エリアは前記ネットワーク側デバイスがサービスを提供するエリアであり、前記第１ＩＤは前記第１エリアにおいて有効であり、
前記プロセスユニットはさらに、前記端末デバイスのモビリティ情報を取得するように構成され、
前記プロセスユニットはさらに、前記モビリティ情報に基づいてターゲットグラントフリーリソースを判定するように構成され、前記ターゲットグラントフリーリソースは専用グラントフリーリソースまたは汎用グラントフリーリソースであり、前記汎用グラントフリーリソースを用いることによって前記受信ユニットによって受信されたデータ情報は、データおよび前記データ情報を送信する端末デバイスのＩＤを含み、前記専用グラントフリーリソースを用いることによって受信ユニットによって受信されたデータ情報は、データを含み、
前記送信ユニットは、前記ターゲットグラントフリーリソースを前記端末デバイスに示すように構成される、
ネットワーク側デバイス。
【請求項２５】
前記プロセスユニットは、前記端末デバイスの位置が固定されているとき、前記ターゲットグラントフリーリソースが前記専用グラントフリーリソースである旨を決定するように具体的に構成され、または、前記端末デバイスの位置が固定されていないとき、前記ターゲットグラントフリーリソースが前記汎用ターゲットグラントフリーリソースである旨を決定するように具体的に構成される、請求項２４に記載のネットワーク側デバイス。
【請求項２６】
前記プロセスユニットは、前記端末デバイスの位置が固定されているか、前記端末デバイスの位置変化が指定範囲内であるとき、前記ターゲットグラントフリーリソースが前記専用グラントフリーリソースである旨を決定するように具体的に構成され、または、前記端末デバイスの位置変化が前記指定範囲を超過するとき、前記ターゲットグラントフリーリソースが前記汎用ターゲットグラントフリーリソースである旨を決定するように具体的に構成される、請求項２４に記載のネットワーク側デバイス。
【請求項２７】
前記プロセスユニットはさらに、前記判定されたターゲットグラントフリーリソースが、前記専用グラントフリーリソースであるとき、前記専用グラントフリーリソースの有効範囲を判定するように構成され、
前記送信ユニットはさらに、前記有効範囲を前記端末デバイスに送信するように構成される、
請求項２４または２５に記載のネットワーク側デバイス。
【請求項２８】
前記受信ユニットは、第１データメッセージを受信するようにさらに構成され、
前記プロセスユニットは、前記受信ユニットが前記専用グラントフリーリソースを用いることによって前記第１データメッセージを受信する旨を決定するとき、前記第１データメッセージによって保持されるデータが前記端末デバイスによって送信される旨を決定するようにさらに構成される、
請求項２４から２７のいずれか一項に記載のネットワーク側デバイス。
【請求項２９】
前記受信ユニットは、第２データメッセージを受信するようにさらに構成され、
前記プロセスユニットは、前記受信ユニットが前記汎用グラントフリーリソースを用いることによって前記第２データメッセージを受信する旨を決定したとき、前記第２データメッセージによって保持されたＩＤは前記第１ＩＤである旨を決定し、前記第２データメッセージによって保持されたデータは前記端末デバイスによって送信される旨を決定するようにさらに構成される、
請求項２４から２７のいずれか一項に記載のネットワーク側デバイス。
【請求項３０】
前記受信ユニットは、前記端末デバイスによって送信される第１モビリティ情報を受信するようにさらに構成され、前記プロセスユニットは、前記モビリティ情報が前記受信ユニットによって受信された前記第１モビリティ情報である旨を決定するように具体的に構成される、請求項２４から２９のいずれか一項に記載のネットワーク側デバイス。
【請求項３１】
前記受信ユニットは、前記汎用グラントフリーリソースを用いることによって第３データメッセージを受信するように具体的に構成され、前記第３データメッセージは前記第１ＩＤを保持し、前記プロセスユニットは、前記第３データメッセージに基づいて前記モビリティ情報を判定するように具体的に構成される、請求項３０に記載のネットワーク側デバイス。
【請求項３２】
前記プロセスユニットは、前記モビリティ情報を判定するように具体的に構成される、請求項２４から２９のいずれか一項に記載のネットワーク側デバイス。
【発明の詳細な説明】
【技術分野】
【０００１】
本願は、２０１７年１月５日に中国特許庁に出願された、「データ伝送方法、端末デバイス、およびネットワーク側デバイス」と題する、中国特許出願第２０１７１０００８４５４．７号の優先権を主張し、その全体が参照により本明細書に組み込まれる。
【０００２】
本願の実施形態は、通信技術の分野に関し、より具体的には、データ伝送方法、端末デバイス、およびネットワーク側デバイスに関する。
【背景技術】
【０００３】
既存のロングタームエボリューション（Ｌｏｎｇ  Ｔｅｒｍ  Ｅｖｏｌｕｔｉｏｎ、ＬＴＥ）システムにおいて、接続モードにおけるユーザに関して、アップリンクデータを伝送する必要があるときは、端末デバイスは、アップリンクスケジューリング要求（Ｓｃｈｅｄｕｌｉｎｇ  Ｒｅｑｕｅｓｔ、ＳＲ）またはバッファステータス報告（Ｂｕｆｆｅｒ  Ｓｔａｔｕｓ  Ｒｅｐｏｒｔ、ＢＳＲ）のメカニズムを用いる。具体的には、端末デバイスは、アップリンクスケジューリング要求またはバッファステータス報告をネットワーク側デバイスに送信し、端末デバイスがデータ伝送のためのアップリンクリソースを必要とする旨を、ネットワーク側デバイスに通知する。リソースのスケジューリングがユーザに対して実行されることを必要としている旨の、端末デバイスからのスケジューリング要求の受信の後、またはＢＳＲに基づいた判定の後、ネットワーク側デバイスは、特定のリソースを端末デバイスに割り当て、端末デバイスは、これらの割り当てられたリソースにおいてデータを伝送する。そのようなスケジューリングベースのメカニズムは、大幅なシグナリングオーバヘッドを生じさせ、また、伝送遅延を生じさせる。
【０００４】
将来の５Ｇにおいて、大容量マシンタイプ通信（Ｍａｃｈｉｎｅ  Ｔｙｐｅ  Ｃｏｍｍｕｎｉｃａｔｉｏｎ、ＭＴＣ）に関するサービスが提供される。そのようなサービスの特徴は、この種類のデバイスが多数あること、および、不定期な少量データ（Ｉｎｆｒｅｑｕｅｎｔ  ｓｍａｌｌ  ｄａｔａ）の伝送が主になることである。ＭＴＣサービスのために、基本的要件として、バッテリ寿命に関する非常に高い要件がある。したがって、エネルギー消費には非常に高い要件が課せられる。スケジューリングベースの態様が用いられる場合、シグナリングプロセスにおいてエネルギー消費の増加が生じ、ＭＴＣサービスに課題をもたらす。加えて、いくつかのアプリケーション層におけるシグナリングに関して、多数の不定期な少量データが伝送される。そのようなサービスがスケジューリングベースの方法を用いることによって伝送される場合、大幅なシグナリングオーバヘッドが生じる。先述の問題を解決するために、グラントフリー（Ｇｒａｎｔ  Ｆｒｅｅ）技術的解決手段が、業界で提案されている。グラントフリーは、公衆陸上移動体ネットワーク（Ｐｕｂｌｉｃ  Ｌａｎｄ  Ｍｏｂｉｌｅ  Ｎｅｔｗｏｒｋ、ＰＬＭＮ）において、端末デバイスが、スケジューリング要求を用いることによって、ネットワーク側デバイスにリソースの割り当てを要求することなくデータを伝送することが可能であることを意味する。グラントフリーのユーザは、異なる特徴のデータ伝送、例えば、伝送遅延または信頼性要件に基づいて、接続モードに入ることなく、データ情報をネットワーク側デバイスに直接送信し得る。
【０００５】
グラントフリー技術を用いてデータを伝送するとき、ネットワーク側デバイスは、受信されたデータ情報の伝送端の識別情報を判定する必要がある。現在の技術的解決手段において、ネットワーク側デバイスは、グラントフリーアクセスのために、サービス範囲内の各端末デバイスに１つの専用リソースを割り当て得る。専用リソースは、主に、ユーザに割り当てられた識別子（ＩＤ）、または、復調基準信号（Ｄｅｍｏｄｕｌａｔｉｏｎ  Ｒｅｆｅｒｅｎｃｅ  Ｓｉｇｎａｌ、ＤＭＲＳ）などの直交シーケンス、および、ユーザが利用可能なグラントフリー時間周波数リソースを含む。グラントフリー時間周波数リソースは、直交シーケンスを有する複数のユーザによって共有され得る。データ情報を送信するとき、各端末デバイスは、ネットワーク側デバイスによって割り当てられた専用グラントフリーリソースを用いる。異なる端末装置は、異なる専用グラントフリーリソースを有する。このやり方で、ネットワーク側デバイスは、ネットワーク側デバイスがデータ情報を受信する場合に用いられるグラントフリーリソースに基づいて、データ情報の伝送端の識別情報を判定し得る。しかしながら、グラントフリーリソースは限られており、ネットワーク側デバイスがサービス範囲内の各端末デバイスに専用グラントフリーリソースを割り当て可能にすることを、ネットワーク側デバイスが保証することができない。別の技術的解決手段において、ネットワーク側デバイスは汎用グラントフリーリソースを割り当て得る。汎用グラントフリーリソースは、複数のグラントフリーリソースを含み得る。端末デバイスは、１つのグラントフリーリソースを選択して、データ情報をネットワーク側デバイスに送信し得る。データ情報は、端末デバイスによって送信されたデータのみでなく、端末デバイスの識別子もまた保持する。異なる端末装置が、同一のグラントフリーリソースを用いることによって、データメッセージをネットワーク側デバイスに送信し得る。ネットワーク側デバイスは、受信されたデータメッセージにおいて保持された識別子に基づいて、データメッセージを送信する伝送端の識別情報を判定し得る。この技術的解決手段は、ネットワーク側デバイスがサービス範囲内の各端末デバイスに専用グラントフリーリソースを割り当て可能なことをネットワーク側デバイスが保証することができない問題を効果的に解決できるが、端末デバイスによって送信されたデータメッセージは、比較的大きなサイズを有する。したがって、先述の２つの技術的解決手段における既存の問題を解決する技術的解決手段が、必要とされる。
【発明の概要】
【０００６】
本願の実施形態は、データ伝送方法、端末デバイス、およびネットワーク側デバイスを提供し、その結果、端末デバイスは適切なグラントフリーリソースを用い得る。
【０００７】
第１の態様によれば、本願の実施形態はデータ伝送方法を提供する。方法は、端末デバイスが第１識別子ＩＤを受信する段階であって、ここで、第１ＩＤは第１ネットワーク側デバイスによって端末デバイスに割り当てられたＩＤであり、端末デバイスは第１エリアに位置し、第１エリアは、第１ネットワーク側デバイスがサービスを提供するエリアであり、第１ＩＤは第１エリアにおいて有効である、段階と、端末デバイスが端末デバイスのモビリティ情報を第１ネットワーク側デバイスに示す段階と、端末デバイスが第１ネットワーク側デバイスによって示されたターゲットグラントフリー情報を受信する段階であって、ここで、ターゲットグラントフリーリソースは専用グラントフリーリソースまたは汎用グラントフリーリソースであり、専用グラントフリーリソースを用いることによって端末デバイスによって第１ネットワーク側デバイスに送信されるデータ情報は、端末デバイスによって送信されるデータを含み、汎用グラントフリーリソースを用いることによって端末デバイスによって第１ネットワーク側デバイスに送信されるデータ情報は、端末デバイスによって送信されるデータ、および第１ＩＤを含む、段階とを備える。先述の技術的解決手段によれば、端末デバイスは、ネットワーク側デバイスによって特定されたグラントフリーリソースを取得し、ネットワーク側デバイスによって特定されたグラントフリーリソースに基づいてネットワーク側デバイスにデータを送信し得る。
【０００８】
第１の態様を参照すると、第１の態様の第１の可能な実装形態において、端末デバイスが端末デバイスのモビリティ情報を第１ネットワーク側デバイスに示す段階は、端末デバイスがモビリティ情報を判定してモビリティ情報を第１ネットワーク側デバイスに送信する段階、または、端末デバイスが第１ネットワーク側デバイスに第１データ情報を送信する段階であって、ここで、第１データ情報は、第１ＩＤおよび端末デバイスによって送信されるデータを含む、段階を含む。先述の技術的解決手段によれば、端末デバイスは、ネットワーク側デバイスに関するモビリティ情報を提供し得、その結果、ネットワーク側デバイスは、モビリティ情報に基づいて、端末デバイスが利用可能なグラントフリーリソースを判定する。
【０００９】
第１の態様の第１の可能な実装形態を参照すると、第１の態様の第２の可能な実装形態において、端末デバイスがモビリティ情報を判定する段階は、端末デバイスが端末デバイスのステータス情報を取得する段階であって、ここで、端末デバイスのステータス情報は端末デバイスの位置情報および／または端末デバイスのモビリティ属性を含む、段階と、端末デバイスが、端末デバイスのステータス情報に基づいて端末デバイスのモビリティ情報を判定する段階とを含む。先述の技術的解決手段において、端末デバイスは、任意に、モビリティ情報を判定し得る。
【００１０】
第１の態様のうちのいずれか１つ、または第１の態様の先述の可能な実装形態を参照すると、第１の態様の第３の可能な実装形態において、方法はさらに、ターゲットグラントフリーリソースが専用グラントフリーリソースである旨を決定したとき、端末デバイスが、専用グラントフリーリソースを用いることによって第１ネットワーク側デバイスに第２データ情報を送信する段階であって、ここで、第２データ情報は端末デバイスによって送信されるデータを含む段階、または、ターゲットグラントフリーリソースが汎用グラントフリーリソースである旨を決定したとき、端末デバイスが、汎用グラントフリーリソースを用いることによって第１ネットワーク側デバイスに第３データ情報を送信し、ここで、第３データ情報は端末デバイスによって送信されるデータ、および第１ＩＤを含む、段階を備える。先述の技術的解決手段によれば、端末デバイスは、ネットワーク側デバイスによって示されたグラントフリーリソースの種類に基づいて、対応するデータメッセージを送信し得る。
【００１１】
第１の態様、第１の態様の第１の可能な実装形態、または第１の態様の第２の可能な実装形態を参照すると、第１の態様の第４の可能な実装形態において、ターゲットグラントフリーリソースが専用グラントフリーリソースであるとき、方法はさらに、端末デバイスが、第１ネットワーク側デバイスによって送信されるターゲットグラントフリーリソースの有効範囲を受信する段階と、端末デバイスが、ターゲットグラントフリーリソースの有効範囲を超過しているかどうか判定する段階と、ターゲットグラントフリーリソースの有効範囲を超過していない場合、専用グラントフリーリソースを用いることによって第２データ情報を第１ネットワーク側デバイスに送信する段階であって、ここで、第２データ情報は、端末デバイスによって送信されるデータを含む段階、または、ターゲットグラントフリーリソースの有効範囲を超過している場合、汎用グラントフリーリソースを用いることによって第３データ情報を第１ネットワーク側デバイスに送信する段階であって、ここで、第３データ情報は端末デバイスによって送信されるデータ、および第１ＩＤを含む、段階と、を備える。先述の技術的解決手段によれば、端末デバイスは、ネットワーク側デバイスによって示されたグラントフリーリソースの種類に基づいて対応するデータメッセージを送信し得る。
【００１２】
第１の態様の第３の可能な実装形態または第１の態様の第４の可能な実装形態を参照すると、第１の態様の第５の可能な実装形態は、端末デバイスが汎用グラントフリーリソースを用いることによって第２データ情報を第１ネットワーク側デバイスに送信する段階の前に、方法はさらに、端末デバイスが、端末デバイスが第１エリアに位置する旨を決定する段階を含む。先述の技術的解決手段によれば、端末デバイスが第１エリアに位置する旨を決定した場合、端末デバイスは、ネットワーク側デバイスおよびターゲットグラントフリーリソースによって割り当てられたＩＤを用いることによって端末デバイスがネットワーク側デバイスと通信し得る旨を決定する。
【００１３】
第１の態様の第１の態様または先述の可能な実装形態のうちのいずれか１つを参照すると、第１の態様の第６の可能な実装形態において、端末デバイスが端末デバイスのモビリティ情報を第１ネットワーク側デバイスに示す段階の前に、方法はさらに、端末デバイスが、第２エリアから第１エリアへ移動する旨を決定する段階をさらに含み、ここで、第２ネットワーク側デバイスが第２エリアにおいてサービスを提供する。先述の技術的解決手段によれば、端末デバイスが移動した旨を決定した場合、端末デバイスは、ネットワーク側デバイスによって割り当てられたＩＤおよびターゲットグラントフリーリソースを再取得する必要がある。
【００１４】
第２の態様によれば、本願の実施形態はデータ伝送方法を提供する。方法は、ネットワーク側デバイスが、第１識別子ＩＤを端末デバイスに割り当てる段階であって、ここで、端末デバイスは第１エリアに位置し、第１エリアはネットワーク側デバイスがサービスを提供するエリアであり、第１ＩＤは第１エリアにおいて有効である、段階と、ネットワーク側デバイスが、端末デバイスのモビリティ情報を取得する段階と、ネットワーク側デバイスが、モビリティ情報に基づいてターゲットグラントフリーリソースを判定する段階であって、ここで、ターゲットグラントフリーリソースは専用グラントフリーリソースまたは汎用グラントフリーリソースであり、汎用グラントフリーリソースを用いることによってネットワーク側デバイスによって受信されたデータ情報は、データおよびデータを送信する端末デバイスのＩＤを含み、専用グラントフリーリソースを用いることによって端末デバイスによって受信されたデータ情報は、データを含む、段階と、ネットワーク側デバイスが、ターゲットグラントフリーリソースを端末デバイスに示す段階と、を備える。先述の技術的解決手段によれば、ネットワーク側デバイスは、対応するグラントフリーリソースを端末デバイスのモビリティ情報に基づいて端末デバイスに割り当て得る。
【００１５】
第２の態様を参照すると、第２の態様の第１の可能な実装形態において、ネットワーク側デバイスがモビリティ情報に基づいてターゲットグラントフリーリソースを判定する段階は、端末デバイスの位置が固定されているとき、ネットワーク側デバイスが、ターゲットグラントフリーリソースが専用グラントフリーリソースである旨を決定する段階、または、端末デバイスの位置が固定されていないとき、ネットワーク側デバイスが、ターゲットグラントフリーリソースが汎用ターゲットグラントフリーリソースである旨を決定する段階を含む。先述の技術的解決手段によれば、固定された位置にある端末デバイスがネットワーク側デバイスにデータメッセージを送信するとき、いかなるＩＤも保持する必要がないことが保証され得、それによって、データメッセージのサイズを低減する。
【００１６】
第２の態様を参照すると、第２の態様の第２の可能な実装形態において、ネットワーク側デバイスがモビリティ情報に基づいてターゲットグラントフリーリソースを判定する段階は、端末デバイスの位置が固定されているか、端末デバイスの位置変化が指定範囲内であるとき、ネットワーク側デバイスが、ターゲットグラントフリーリソースが専用グラントフリーリソースである旨を決定する段階、または、端末デバイスの位置変化が指定範囲を超過するとき、ネットワーク側デバイスが、ターゲットグラントフリーリソースが汎用ターゲットグラントフリーリソースである旨を決定する、段階を含む。先述の技術的解決手段によれば、比較的固定された位置にある端末デバイスがデータメッセージをネットワーク側デバイスに送信するとき、いかなるＩＤも保持する必要がないことが保証され得、それによって、データメッセージのサイズを低減する。
【００１７】
第２の態様の第１の可能な実装形態または第２の態様の第２の可能な実装形態を参照すると、第２の態様の第３の可能な実装形態において、ネットワーク側デバイスによって判定されたターゲットグラントフリーリソースが専用グラントフリーリソースであるとき、方法はさらに、ネットワーク側デバイスが、専用グラントフリーリソースの有効範囲を判定する段階と、ネットワーク側デバイスが、有効範囲を端末デバイスに送信する段階とを備える。先述の技術的解決手段によれば、有効範囲が専用グラントフリーリソースに割り当てられ得、それによって、端末デバイスによって用いられる専用グラントフリーリソースを効果的に制御する。
【００１８】
第２の態様または第２の態様の先述の可能な実装形態のうちのいずれか１つを参照すると、第２の態様の第４の可能な実装形態は、ネットワーク側デバイスによって判定されたターゲットグラントフリーリソースが専用グラントフリーリソースであるとき、方法はさらに、ネットワーク側デバイスが、専用グラントフリーリソースを用いることによって第１データメッセージを受信する段階と、ネットワーク側デバイスが、第１データメッセージによって保持されるデータが端末デバイスによって送信される旨を決定する段階とを含む。先述の技術的解決手段によれば、専用グラントフリーリソース上のネットワーク側デバイスによって受信されたデータメッセージは、端末デバイスに割り当てられたＩＤを含まず、それによって、データメッセージのサイズを低減する。
【００１９】
第２の態様、または第２の態様の第１の可能な実装形態から第２の態様の第３の可能な実装形態のうちのいずれか１つを参照すると、第２の態様の第５の可能な実装形態において、方法はさらに、ネットワーク側デバイスが、汎用グラントフリーリソースを用いることによって第２データメッセージを受信する段階と、ネットワーク側デバイスが、第２データメッセージによって保持されるＩＤが第１ＩＤである旨を決定する段階と、ネットワーク側デバイスが、第２データメッセージによって保持されたデータが端末デバイスによって送信される旨を決定する段階とを含む。先述の技術的解決手段によれば、ネットワーク側デバイスは汎用グラントフリーリソース上で、端末デバイスによって送信されたデータメッセージを受信し得、すべてのグラントフリーリソースが端末デバイスによって用いるように特定されたグラントフリーリソースとなったためグラントフリーリソースの使い切りをもたらすという、ケースを回避する。
【００２０】
第２の態様または第２の態様の先述の可能な実装形態のうちのいずれか１つを参照すると、第２の態様の第６の可能な実装形態において、ネットワーク側デバイスが端末デバイスのモビリティ情報を取得する段階は、ネットワーク側デバイスが、端末デバイスによって送信されたモビリティ情報を受信する段階、または、ネットワーク側デバイスが、モビリティ情報を判定する段階を含む。先述の技術的解決手段に基づいて、ネットワーク側デバイスは、端末デバイスによって送信されたモビリティ情報を取得し得、または、ネットワーク側デバイスは、任意に、モビリティ情報を判定し、端末デバイスに割り当てられるターゲットグラントフリーリソースの種類を、モビリティ情報に基づいて判定する。
【００２１】
第２の態様の第６の可能な実装形態を参照すると、第２の態様の第７の可能な実装形態において、ネットワーク側デバイスがモビリティ情報を判定する段階は、ネットワーク側デバイスが、汎用グラントフリーリソースを用いることによって第３データメッセージを受信する段階であって、ここで、第３データメッセージは第１ＩＤを保持する、段階と、ネットワーク側デバイスが、第３データメッセージに基づいてモビリティ情報を判定する段階とを含む。先述の技術的解決手段によれば、ネットワーク側デバイスは、端末デバイスによって送信されたデータメッセージを用いることによって端末デバイスのモビリティ情報を判定し得、モビリティ情報に基づいて、端末デバイスに割り当てられるターゲットグラントフリーリソースの種類を判定する。
【００２２】
第３の態様によれば、本願の実施形態は端末デバイスを提供する。ネットワーク側デバイスは、第１の態様または第１の態様の可能な実装形態を実行するように構成されたユニットを含む。
【００２３】
第４の態様によれば、本願の実施形態はネットワーク側デバイスを提供する。端末デバイスは、第２の態様または第２の態様の可能な実装形態を実行するように構成されたユニットを含む。
【００２４】
第５の態様によれば、本願の実施形態は端末デバイスを提供する。端末デバイスは、プロセッサ、メモリ、および送受信機を含む。メモリは、第１の態様および第１の態様の可能な実装形態のうちのいずれか１つに記載の方法を実装する命令を格納するように構成される。プロセッサは、通信インタフェースと組み合わせて、第１の態様または第１の態様の可能な実装形態のうちのいずれか１つに記載の方法を実装するように、メモリに格納された命令を実行する。
【００２５】
第６の態様によれば、本願の実施形態はネットワーク側デバイスを提供する。ネットワーク側デバイスは、プロセッサ、メモリ、および送受信機を含む。メモリは、第２の態様および第２の態様の可能な実装形態のうちのいずれか１つに記載の方法を実装する命令を格納するように構成される。プロセッサは、通信インタフェースと組み合わせて、第２の態様または第２の態様の可能な実装形態のうちのいずれか１つに記載の方法を実装するように、メモリに格納された命令を実行する。
【図面の簡単な説明】
【００２６】
【図１】端末デバイスおよびネットワーク側デバイスの概略図である。
【００２７】
【図２】本願の実施形態によるデータ送信方法の概略フローチャートである。
【００２８】
【図３】本願の実施形態によるデータ送信方法の概略フローチャートである。
【００２９】
【図４】本願の実施形態によるデータ送信方法の概略フローチャートである。
【００３０】
【図５】本願の実施形態による端末デバイスの構造ブロック図である。
【００３１】
【図６】本願の実施形態によるネットワーク側デバイスの構造ブロック図である。
【００３２】
【図７】本願の実施形態による端末デバイスの構造ブロック図である。
【００３３】
【図８】本願の実施形態によるネットワーク側デバイスの構造ブロック図である。
【発明を実施するための形態】
【００３４】
以下に、添付の図面を参照して、本願の実施形態の技術的解決方法を説明する。
【００３５】
本願の実施形態における技術的解決方法で言及される端末デバイスは、また、アクセス端末、ユーザ機器（Ｕｓｅｒ  Ｅｑｕｉｐｍｅｎｔ、ＵＥ）、加入者ユニット、加入者局、モバイル局、モバイルコンソール、リモート局、リモート端末、モバイルデバイス、ユーザ端末、端末、無線通信デバイス、ユーザエージェント、ユーザ装置、無線通信機能を有するハンドヘルドデバイス、計算デバイス、無線モデムに接続された別のプロセスデバイス、車載デバイス、ウェアラブルデバイス、または、今後の５Ｇネットワークにおける端末デバイスとも称され得る。
【００３６】
ネットワーク側デバイスは、ＬＴＥシステムにおける発展型Ｎｏｄｅ  Ｂ（Ｅｖｏｌｕｔｉｏｎａｌ  Ｎｏｄｅ  Ｂ、ｅＮＢ）、今後の５Ｇネットワークにおける基地局デバイス、送受信ポイントＴＲＰ（Ｔｒａｎｓｍｉｓｓｉｏｎ  ａｎｄ  Ｒｅｃｅｐｔｉｏｎ  Ｐｏｉｎｔ）、または同様なものであり得る。
【００３７】
本願の実施形態で言及されるグラントフリーリソースは、基準信号（Ｒｅｆｅｒｅｎｃｅ  Ｓｉｇｎａｌ、ＲＳ）であり得、または、プリアンブル（Ｐｒｅａｍｂｌｅ）であり得る。
【００３８】
本願の実施形態で言及されるネットワーク側デバイスのサービス範囲と、ネットワーク側デバイスがサービスを提供するエリアは、通知エリア（Ｎｏｔｉｆｉｃａｔｉｏｎ  Ａｒｅａ）である。通知エリアは１または複数のセルであり得る。
【００３９】
本願の実施形態で言及されるデータは、少量データまたは一般的なデータであり得る。少量データとは、端末またはネットワークによって伝送されるデータのサイズが閾値、例えば１００バイトより少ないことを意味し、少量データは、１つのパケットであり得、または、複数のパケットの合計の長さが予め定められた閾値より少ない。
【００４０】
図１は端末デバイスおよびネットワーク側デバイスの概略図である。図１に示されるように、ネットワーク側デバイス１１０がサービスを提供するエリアに、端末デバイス１２０がある。
【００４１】
本願の実施形態は、図１を参照して以下に説明される。
【００４２】
図２は、本願の実施形態によるデータ送信方法の概略フローチャートである。
【００４３】
２０１：ネットワーク側デバイス１１０は、端末デバイス１２０に割り当てられるＩＤを、端末デバイス１２０に送信する。
【００４４】
より具体的には、ネットワーク側デバイス１１０のサービス範囲内に複数の端末デバイスがある場合、ネットワーク側デバイス１１０によって複数の各端末デバイスに割り当てられたＩＤは一意的なものである。言い換えれば、複数の端末デバイスのうちいずれの２つも、異なるＩＤを有する。
【００４５】
２０２：端末デバイス１２０は端末デバイス１２０のモビリティ属性を取得し、端末デバイス１２０のモビリティ属性に基づいて端末デバイス１２０のモビリティ情報を判定する。
【００４６】
端末デバイスのモビリティ属性は、端末デバイスが固定端末デバイスであるか移動可能端末デバイスであるかを示す。固定端末デバイスは、位置に静止している端末デバイスである。例えば、大容量マシンタイプ通信（ｍａｓｓｉｖｅ  Ｍａｃｈｉｎｅ  Ｔｙｐｅ  Ｃｏｍｍｕｎｉｃａｔｉｏｎ、ｍＭＴＣ）シナリオにおいて、いくつかの端末デバイスは、いくつかの特定の位置に固定されて取り付けられた端末デバイスである。端末デバイスは固定端末デバイスである。移動可能端末デバイスは、移動され得る端末デバイスであり、例えば、モバイル電話である。
【００４７】
任意で、いくつかの実施形態において、端末デバイスのモビリティ属性は端末デバイスの固有の属性として用いられ得、端末デバイス１２０に格納またはプリセットされ得る。このやり方で、端末デバイス１２０は、端末デバイス１２０のモビリティ属性を直接取得し得る。
【００４８】
任意で、いくつかの他の実施形態において、端末デバイス１２０は、モビリティ属性に関連する情報を用いることによって、端末デバイス１２０の属性情報を判定し得る。モビリティ属性に関連する情報は、端末デバイスのサービスタイプであり得る。例えば、端末デバイス１２０のサービスタイプが、固定された位置で完了するサービス、例えば、メータ読み取りサービスまたは環境モニタリングサービスを示す場合、端末デバイス１２０のモビリティ属性は固定端末デバイスを示す旨が決定され得る。端末デバイス１２０のサービスタイプが、固定されない位置で完了するサービス、例えば、インテリジェントパーキングまたはインテリジェントトラッキングを示す場合、端末デバイス１２０のモビリティ属性は移動可能端末デバイスを示す旨が決定され得る。
【００４９】
任意で、いくつかの実施形態において、端末デバイス１２０が固定端末デバイスである場合、端末デバイス１２０によって判定される端末デバイス１２０のモビリティ情報は、端末デバイス１２０が固定端末デバイスである旨を示すように用いられる。端末デバイス１２０が移動可能端末である場合、端末デバイス１２０によって判定された端末デバイス１０２のモビリティ情報は、端末デバイス１２０が移動可能端末である旨を示すように用いられる。
【００５０】
任意で、いくつかの他の実施形態において、端末デバイス１２０が固定端末デバイスである場合、端末デバイス１２０によって判定された端末デバイス１２０のモビリティ情報は、専用グラントフリーリソースを端末デバイス１２０に割り当てるようにネットワーク側デバイス１１０に命令するように用いられ得る。端末デバイス１２０が移動可能端末である場合、端末デバイス１２０によって判定された端末デバイス１２０のモビリティ情報は、ネットワーク側デバイス１１０が専用グラントフリーリソースを端末デバイス１２０に割り当てる必要がない旨を示すように用いられ得る。
【００５１】
任意で、いくつかの他の実施形態において、端末デバイス１２０によって判定された端末デバイス１２０のモビリティ情報は、モビリティ属性に関連する情報であり得る。このやり方で、ネットワーク側デバイス１１０は、モビリティ属性に関連する情報に基づいて、端末デバイス１２０のモビリティ属性を判定し得、専用グラントフリーリソースを端末デバイス１２０に割り当てるかどうかを判定し得る。
【００５２】
２０３：端末デバイス１２０は端末デバイス１２０のモビリティ情報をネットワーク側デバイス１１０に送信する。
【００５３】
２０４：ネットワーク側デバイス１１０は、端末デバイス１２０のモビリティ情報に基づいて、端末デバイス１２０によって用いられるターゲットグラントフリーリソースを判定し、そのターゲットグラントフリーリソースを端末デバイス１２０に示す。
【００５４】
２０５：端末デバイス１２０は、ターゲットグラントフリーリソースを用いることによってネットワーク側デバイス１１０と通信する。
【００５５】
任意で、いくつかの実施形態において、端末デバイス１２０のモビリティ情報は、端末デバイス１２０が固定端末デバイスである旨を示すように用いられる場合、ネットワーク側デバイス１１０は、複数のグラントフリーリソースのうちの１つのグラントフリーリソースを端末デバイス１２０のための専用グラントフリーリソースとして判定し得、ターゲットグラントフリーリソースとして判定された専用グラントフリーリソースを端末デバイス１２０に示す。端末デバイス１２０のモビリティ情報が、端末デバイス１２０が移動可能端末であることを示すように用いられる場合、ネットワーク側デバイス１１０は、ターゲットグラントフリーリソースが汎用グラントフリーリソースである旨を決定し得、汎用グラントフリーリソースを端末デバイス１２０に示し得る。
【００５６】
任意で、いくつかの他の実施形態において、端末デバイス１２０のモビリティ情報が、専用グラントフリーリソースを端末デバイス１２０に割り当てるようにネットワーク側デバイス１１０に命令するように用いられる場合、ネットワーク側デバイス１１０は、複数のグラントフリーリソースのうちの１つのグラントフリーリソースを端末デバイス１２０のための専用グラントフリーリソースとして判定し得、ターゲットグラントフリーリソースとして判定された専用グラントフリーリソースを端末デバイス１２０に示す。端末デバイス１２０のモビリティ情報が、ネットワーク側デバイス１１０が専用グラントフリーリソースを端末デバイス１２０に割り当てる必要がない旨を示すように用いられる場合、ネットワーク側デバイス１１０はターゲットグラントフリーリソースが汎用グラントフリーリソースであると判定し得、汎用グラントフリーリソースを端末デバイス１２０に示し得る。
【００５７】
任意で、いくつかの他の実施形態において、端末デバイス１２０のモビリティ情報はモビリティ属性に関連する情報であり得、ネットワーク側デバイス１１０は、モビリティ属性に関連する情報に基づいて、端末デバイス１２０のモビリティ属性を判定し得る。ネットワーク側デバイス１１０が、端末デバイス１２０のモビリティ属性が固定端末デバイスを示す旨を決定した場合、ネットワーク側デバイス１１０は複数のグラントフリーリソースのうちの１つのグラントフリーリソースを端末デバイス１２０のための専用グラントフリーリソースとして判定し得、ターゲットグラントフリーリソースとして判定された専用グラントフリーリソースを端末デバイス１２０に示す。ネットワーク側デバイス１１０が、端末デバイス１２０のモビリティ属性が移動可能端末を示す旨を決定した場合、ネットワーク側デバイス１１０は、ターゲットグラントフリーリソースが汎用グラントフリーリソースである旨を決定し得、汎用グラントフリーリソースを端末デバイス１２０に示す。
【００５８】
複数の態様において、ネットワーク側デバイス１１０は、ターゲットグラントフリーリソースを示し得る。
【００５９】
任意で、一実施形態において、ネットワーク側デバイス１１０はグラントフリーリソースをリソースプールへと分割し得、各リソースプールは複数のグラントフリーリソースを含む。２つのリソースプールのうちの１つに含まれるグラントフリーリソースはすべて、端末デバイスによって任意に選択され得るグラントフリーリソースであり（説明を簡単にするために、このリソースプールは以下で汎用グラントフリーリソースプールと称される）、他のリソースプールに含まれるグラントフリーリソースは、特定の端末デバイスに割り当てられ得るグラントフリーリソースである（説明を簡単にするために、このリソースプールは以下で専用グラントフリーリソースプールと称される）。
【００６０】
任意で、一実施形態において、ネットワーク側デバイス１１０は、汎用グラントフリーリソースプールに含まれる複数のグラントフリーリソースの具体的なリソース情報を、前もって端末デバイスに示し得る。グラントフリーリソースの具体的なリソース情報は、グラントフリーリソースの時間−周波数リソース、時間−周波数リソースの送信間隔、各時間−周波数リソース上の、対応するおよび利用可能な直交シーケンス（ＤＭＲＳなど）のセット、および同様のものを含み得る。例えば、ネットワーク側デバイス１１０は、端末デバイス１２０への接続を確立したとき、または段階２０５の前に、汎用グラントフリーリソースプールに含まれる複数のグラントフリーリソースの具体的なリソース情報を、端末デバイスに示し得る。このやり方で、ターゲットグラントフリーリソースが汎用グラントフリーリソースである場合、ターゲットグラントフリーリソースを示すときに、ネットワーク側デバイス１１０は、汎用グラントフリーリソースプールにおけるグラントフリーリソースを用いるように、端末デバイス１２０に命令し得る。端末デバイス１２０は、汎用グラントフリーリソースプールに含まれる複数のグラントフリーリソースから、端末デバイス１２０がネットワーク側デバイス１１０にデータメッセージを送信するときに用いられるグラントフリーリソースを選択し得る。ターゲットグラントフリーリソースが、ネットワーク側デバイス１１０によって端末デバイス１２０に割り当てられた専用グラントフリーリソースである場合、ネットワーク側デバイス１１０は、端末デバイス１２０に割り当てられた専用グラントフリーリソースの具体的なリソース情報を示し得る。端末デバイス１２０は、ネットワーク側デバイス１１０によって割り当てられた専用グラントフリーリソースを用いることによって、ネットワーク側デバイス１１０にデータメッセージを送信し得る。
【００６１】
任意で、別の実施形態において、ネットワーク側デバイス１１０は、汎用グラントフリーリソースプールに含まれる複数のグラントフリーリソースの具体的なリソース情報と、専用グラントフリーリソースプールに含まれる複数のグラントフリーリソースの具体的なリソース情報とを、前もって端末デバイスに示し得る。例えば、ネットワーク側デバイス１１０は、複数の汎用グラントフリーリソースの具体的なリソース情報と、専用グラントフリーリソースプールに含まれる複数のグラントフリーリソースの具体的なリソース情報とを、端末デバイス１２０への接続を確立するときに、または段階２０５の前に、端末デバイスに示し得る。このやり方で、ターゲットグラントフリーリソースが汎用グラントフリーリソースである場合、ターゲットグラントフリーリソースを示すときに、ネットワーク側デバイス１１０は汎用グラントフリーリソースプールのリソースを用いるように、端末デバイス１２０に命令し得る。端末デバイス１２０は、汎用グラントフリーリソースプールに含まれる複数のグラントフリーリソースから、端末デバイス１２０がネットワーク側デバイス１１０にデータメッセージを送信するときに用いられるグラントフリーリソースを選択し得る。専用グラントフリーリソースプールにおける各グラントフリーリソースは、対応するインデックスを有し得る。ターゲットグラントフリーリソースがネットワーク側デバイス１１０によって端末デバイス１２０に割り当てられた専用グラントフリーリソースである場合、ネットワーク側デバイス１１０は、割り当てられた専用グラントフリーリソースに対応するインデックスを端末デバイス１２０に示し得る。端末デバイス１２０は、インデックスに基づいて、ネットワーク側デバイス１１０によって割り当てられた専用グラントフリーリソースを判定し得、ネットワーク側デバイス１１０によって割り当てられた専用グラントフリーリソースを用いることによって、ネットワーク側デバイス１１０にデータメッセージを送信し得る。
【００６２】
任意で、一実施形態において、端末デバイス１２０は、１または複数のグラントフリーリソースの具体的なリソース情報を格納し得るか、プリセットし得る。格納またはプリセットされたグラントフリーリソースは、汎用グラントフリーリソースである。
【００６３】
任意で、一実施形態において、ネットワーク側デバイス１１０は、特定の端末デバイスに割り当てられ得るグラントフリーリソースの時間−周波数リソースと、端末デバイスによって選択され得るグラントフリーリソースの時間−周波数リソースとの間の区別をしなくてよい。ネットワーク側デバイス１１０は、すべてのグラントフリーリソースの時間−周波数リソース、時間−周波数リソースの送信間隔、時間−周波数リソース上の、１つの対応するおよび利用可能な直交シーケンスのグループ、および同様のものを、前もって端末デバイスに示し得る。例えば、ネットワーク側デバイス１１０は、端末デバイス１２０への接続を確立したとき、または段階２０５の前に、すべてのグラントフリーリソースの時間−周波数リソースを端末デバイスに示し得る。加えて、ネットワーク側デバイス１１０は、時間−周波数リソース上の対応するおよび利用可能な直交シーケンスを、２つのグループへと分割し得、一方の直交シーケンスのグループは、汎用グラントフリーリソースのために利用可能な直交シーケンスであり、他方の直交シーケンスのグループは、専用グラントフリーリソースのために確保された直交シーケンスである。ネットワーク側デバイス１１０は、端末デバイス１２０への接続を確立したとき、または段階２０５の前に、汎用グラントフリーリソースのために利用可能な直交シーケンスを、端末デバイスに予め送信し得る。ネットワーク側デバイス１１０は、専用グラントフリーリソースのために確保された直交シーケンスを、端末デバイスに送信しない。ネットワーク側デバイス１１０が、特定のグラントフリーリソースを１または複数の特定の端末デバイスに割り当てる必要があるとき、ネットワークデバイス１１０は、確保された直交シーケンスのうちの１つを選択し得、グラントフリー時間周波数リソースまたは時間−周波数リソースインデックスを選択して端末デバイス１２０を示し得る。端末デバイス１２０は、割り当てられたシーケンスを用いることによって、特定されたグラントフリー時間周波数リソース上での伝送を実行する。専用グラントフリー時間周波数リソースの使用が、汎用グラントフリー時間周波数リソースの使用から区別されない場合、端末デバイス１２０に割り当てられるＩＤは専用グラントフリー伝送において保持される必要がないので、ユーザに関して異なる変調および符号化スキーム（ｍｏｄｕｌａｔｉｏｎ  ａｎｄ  Ｃｏｄｉｎｇ  Ｓｃｈｅｍｅ、ＭＣＳ）が構成され得、ユーザの伝送性能を向上させる。
【００６４】
ターゲットグラントフリーリソースが専用グラントフリーリソースである場合、端末デバイス１２０は専用グラントフリーリソースを用いることによって、データメッセージをネットワーク側デバイス１１０に送信し、端末デバイス１２０によってネットワーク側デバイス１１０に送信されるデータメッセージは、端末デバイス１２０によって送信されるデータを含む。端末デバイスによってネットワーク側デバイス１１０に送信されるデータメッセージは、ネットワーク側デバイス１１０によって端末デバイス１２０に割り当てられるＩＤを含む必要がない。このやり方で、端末デバイス１１０が専用グラントフリーリソース上でデータメッセージを受信する場合、端末デバイス１１０は、データメッセージの伝送端が端末デバイス１２０である旨を決定し得る。
【００６５】
ターゲットグラントフリーリソースが汎用グラントフリーリソースである場合、端末デバイス１２０は、汎用グラントフリーリソースを用いることによってネットワーク側デバイス１１０にデータメッセージを送信し、端末デバイス１２０によってネットワーク側デバイス１１０に送信されるデータメッセージは、端末デバイス１２０によって送信されるデータと、ネットワーク側デバイス１１０によって端末デバイス１２０に割り当てられるＩＤとを含む。このやり方で、汎用グラントフリーリソース上でデータメッセージを受信した後に、端末デバイス１１０は、データメッセージによって保持されるＩＤに基づいて、データメッセージの伝送端が端末デバイス１２０である旨を決定する。
【００６６】
本願の実施形態において言及されたデータメッセージは、また、データパケット、パケット、データ、または同様のものと称され得る。説明を簡単にするために、専用グラントフリーリソースを用いて、端末デバイスに割り当てられたＩＤを保持しないことによって送信されたデータ情報は、以下で第１のデータと称され、汎用グラントフリーリソースを用いて、端末デバイスに割り当てられたＩＤを保持することによって送信されたデータ情報は、以下で第２のデータと称される。
【００６７】
図２に示された実施形態における段階の数は、図２に示された実施形態を好適に説明することを単に意図したものであり、図２に示された実施形態における段階の次数を限定するものではない。
【００６８】
端末デバイス１２０がターゲットグラントフリーリソースを用いることによってデータメッセージをネットワーク側デバイス１１０に送信する前に、端末デバイス１２０がネットワーク側デバイス１１０への接続を確立する必要があることは、理解されよう。段階２０１、段階２０３、および段階２０４は、接続確立プロセスにおいてすべて実行され得る。当然ながら、段階２０１、段階２０３、および段階２０４の１つまたはすべては、接続が完全に確立された後にもまた実行され得る。
【００６９】
段階２０３が、接続が完全に確立された後に実行された場合、端末デバイス１２０は端末デバイス１２０のモビリティ情報を、汎用グラントフリーリソースを用いることによってネットワーク側デバイス１１０にまず送信し得る。
【００７０】
図２に示された技術的解決手段によれば、ネットワーク側デバイスは、端末デバイスが固定されているかどうかに応じて、対応するグラントフリーリソースを端末デバイスに割り当て得る。図２に示された技術的解決手段によれば、端末デバイスが固定された位置でデータメッセージをネットワーク側デバイスに送信するとき、いかなるＩＤも保持する必要がないことが保証され得、それによって、データメッセージのサイズを低減する。加えて、図２に示された技術的解決手段によれば、グラントフリーリソースが使い切りとなって、いくつかの端末デバイスがグラントフリーリソースを用いることによってデータメッセージをネットワーク側デバイスに送信することができなくなるケースが回避されることが、さらに保証され得る。
【００７１】
任意で、いくつかの実施形態においては、ターゲットグラントフリーリソースが専用グラントフリーリソースである場合、ネットワーク側デバイス１１０はさらに、ターゲットグラントフリーリソースの有効範囲を端末デバイス１２０に送信し得る。有効範囲は、専用グラントフリーリソースの有効時間であり得る。この場合、端末デバイス１２０は有効範囲を超過したかどうかを判定し得、有効範囲を超過していない場合、専用グラントフリーリソースを用いることによって第１のデータをネットワーク側デバイス１１０に送信し得る。有効範囲を超過した場合、汎用グラントフリーリソースを用いることによって第２のデータをネットワーク側デバイス１１０に送信し得る。
【００７２】
さらに、いくつかの実施形態においては、端末デバイス１２０が、ネットワーク側デバイス１１０のサービス範囲から別のネットワーク側デバイスのサービス範囲への移動を判定した場合、端末１２０は、別のネットワーク側デバイスによって端末デバイス１２０に割り当てられたＩＤを再取得して、別のネットワーク側デバイスによって示されたターゲットグラントフリーリソースを取得する必要がある。加えて、ネットワーク側デバイス１１０のサービス範囲から別のネットワーク側デバイスのサービス範囲への移動を判定した後で、別のネットワーク側デバイスによって端末デバイス１２０に割り当てられたＩＤを取得する前に、端末デバイス１２０は、ネットワーク側デバイス１１０によって端末デバイス１２０に割り当てられたＩＤを用いることによって別のネットワーク側デバイスと通信しない。端末１２０が別のネットワーク側デバイスによって端末デバイス１２０に割り当てられたＩＤを再取得して、別のネットワーク側デバイスによって示されたターゲットグラントフリーリソースを取得する必要がある具体的なプロセスは、図２に示されたプロセスと同一である。本明細書では詳細を改めて説明する必要はない。
【００７３】
任意で、いくつかの実施形態においては、端末デバイス１２０が固定端末デバイスであると仮定すると、端末デバイス１２０の位置が変わった場合、データ伝送のためのグラントフリーリソースが再構成される必要がある。言い換えれば、図２に示された段階が、改めて実行される必要がある。
【００７４】
図３は、本願の実施形態によるデータ送信方法の概略フローチャートである。
【００７５】
３０１：ネットワーク側デバイス１１０は、端末デバイス１２０に割り当てられたＩＤを、端末デバイス１２０に送信する。
【００７６】
３０２：端末デバイス１２０は、端末デバイス１２０の位置情報を取得し、端末デバイス１２０の位置情報に基づいて端末デバイス１２０のモビリティ情報を判定する。
【００７７】
３０３：端末デバイス１２０は、端末デバイス１２０のモビリティ情報をネットワーク側デバイス１１０に送信し得る。
【００７８】
端末デバイスの位置情報は、端末デバイスの地理的情報であり得、または、端末デバイスの位置情報は、端末の位置および／または位置変化を反映し得る情報、例えば、端末デバイスが位置するセルのＩＤ、または、端末デバイスが位置するセルの基準信号であり得る。
【００７９】
任意で、いくつかの実施形態においては、端末デバイス１２０は、位置情報に基づいて端末デバイスのモビリティ属性を判定し得、端末デバイス１２０によってネットワーク側デバイス１１０に送信されるモビリティ情報は、端末デバイス１２０のモビリティ属性を示すように用いられる。より具体的には、端末デバイス１２０が、位置情報に基づいて、端末デバイス１２０の位置が固定されているか、または端末デバイス１２０の位置変化が指定範囲内である旨を決定した場合、端末デバイス１２０は、端末デバイス１２０のモビリティ属性が固定端末デバイスを示す旨を決定し得る。端末デバイス１２０が、位置情報に基づいて、端末デバイス１２０の位置変化が指定範囲を超過する旨を決定した場合、端末デバイス１２０は、端末デバイス１２０のモビリティ属性が移動可能端末デバイスを示す旨を決定し得る。端末デバイス１２０が、端末デバイス１２０が固定端末デバイスである旨を決定した場合、端末デバイス１２０によってネットワーク側デバイス１１０に送信されるモビリティ情報は、端末デバイス１２０が固定端末デバイスである旨を示すように用いられる。端末デバイス１２０が、端末デバイス１２０が移動可能端末デバイスである旨を決定した場合、端末デバイス１２０によってネットワーク側デバイス１１０に送信されるモビリティ情報は、端末デバイス１２０が移動可能端末デバイスである旨を示すように用いられる。
【００８０】
例えば、位置情報は地理的位置であり得る。端末デバイス１２０は、衛星測位技術または別の測位技術を用いることによって、端末デバイス１２０の地理的位置を判定し得る。端末デバイス１２０は、期間内に複数回、端末デバイス１２０の地理的位置を判定し得る。複数回判定された地理的位置が変化しないままである場合、または地理的位置の変化範囲がプリセットされた変化範囲内である場合、端末デバイス１２０は、端末デバイス１２０のモビリティ属性が固定端末デバイスを示す旨を決定し得る。端末デバイス１２０の地理的位置が変化し、変化範囲がプリセットされた変化範囲を超過した場合、端末デバイス１２０は、端末デバイス１２０のモビリティ属性が移動可能端末デバイスを示す旨を決定し得る。
【００８１】
別の例に関して、位置情報は、端末デバイスが位置するセルのＩＤであり得る。端末デバイス１２０は、端末デバイス１２０が位置するセルのＩＤが期間内に変化するかどうか判定し得る。端末デバイス１２０が位置するセルのＩＤが変化しないか、変化範囲が特定の範囲内である旨を、端末デバイス１２０が決定した場合、端末デバイス１２０は、端末デバイス１２０が固定端末デバイスであるとみなし得る。端末デバイス１２０が位置するセルのＩＤの変化範囲が特定の範囲を超過する旨を、端末デバイス１２０が決定した場合、端末デバイス１２０は、端末デバイス１２０が固定されていない端末である旨を決定し得る。
【００８２】
同様に、端末デバイス１２０はまた、端末デバイスの位置、および／または、端末デバイスの位置変化を反映し得るいくつかの他の情報、例えば、端末デバイス１２０の移動速度、または、端末デバイス１２０が位置するセルの基準信号に基づいて、端末デバイスのモビリティ属性を判定し得る。冗長性を回避するために、例を本明細書では１つ１つ列挙しない。
【００８３】
任意で、いくつかの実施形態において、端末デバイス１２０は、取得された位置情報に基づいてモビリティ情報を判定し得る。モビリティ情報は、端末デバイス１２０によって取得される位置情報を含む。この場合、ネットワーク側デバイス１１０は、モビリティ情報に含まれる端末デバイス１２０の位置情報に基づいて端末デバイス１２０のモビリティ属性を判定し得る。ネットワーク側デバイス１１０が端末デバイス１２０の位置情報に基づいて端末デバイス１２０のモビリティ属性を判定する具体的な実装は、端末デバイス１２０が端末デバイス１２０の位置情報に基づいて端末デバイス１２０のモビリティ属性を任意に判定する具体的な実装と、同一である。本明細書では詳細を改めて説明する必要はない。
【００８４】
３０４：ネットワーク側デバイス１１０は、端末デバイス１２０のモビリティ情報に基づいて、端末デバイス１２０によって用いられるターゲットグラントフリーリソースを判定し、そのターゲットグラントフリーリソースを端末デバイス１２０に示す。
【００８５】
３０５：端末デバイス１２０は、ターゲットグラントフリーリソースを用いることによって、ネットワーク側デバイス１１０と通信する。
【００８６】
端末デバイス１２０のモビリティ情報が、端末デバイス１２０が固定端末デバイスである旨を示すように用いられる場合、ネットワーク側デバイス１１０は、複数のグラントフリーリソースのうちの１つのグラントフリーリソースを、端末デバイス１２０のための専用グラントフリーリソースとして判定し得、ターゲットグラントフリーリソースとして判定された専用グラントフリーリソースを、端末デバイス１２０に示す。
【００８７】
端末デバイス１２０のモビリティ情報が、端末デバイス１２０が移動可能端末である旨を示すように用いられる場合、ネットワーク側デバイス１１０は、ターゲットグラントフリーリソースが汎用グラントフリーリソースである旨を決定し、汎用グラントフリーリソースを端末デバイス１２０に示す。
【００８８】
端末デバイス１２０のモビリティ情報が、端末デバイス１２０の位置情報を含む場合、ネットワーク側デバイス１１０は、端末デバイス１２０の位置情報に基づいて、端末デバイス１２０が固定端末デバイスか移動可能端末デバイスかを判定し、判定結果に基づいてターゲットグラントフリーリソースを判定する。
【００８９】
ネットワーク側デバイス１１０が、端末デバイス１２０の位置情報に基づいて、端末デバイス１２０が固定端末デバイスである旨を決定した場合、ネットワーク側デバイス１１０は、複数のグラントフリーリソースのうちの１つのグラントフリーリソースを端末デバイス１２０のための専用グラントフリーリソースとして判定し得、判定された専用グラントフリーリソースをターゲットグラントフリーリソースとして端末デバイス１２０に示し得る。
【００９０】
ネットワーク側デバイス１１０が、端末デバイス１２０の位置情報に基づいて、端末デバイス１２０が移動可能端末デバイスである旨を決定した場合、ネットワーク側デバイス１１０はターゲットグラントフリーリソースが汎用グラントフリーリソースである旨を決定し得、汎用グラントフリーリソースを端末デバイス１２０に示し得る。
【００９１】
ネットワーク側デバイス１１０によって、端末デバイス１２０にターゲットグラントフリーリソースを示す方式と、端末デバイス１２０がターゲットグラントフリーリソースを用いることによってデータ情報をネットワーク側デバイス１１０に送信する具体的なプロセスとは、図２に示される実施形態におけるものと類似する。本明細書では、詳細を改めて説明する必要はない。
【００９２】
図３に示される技術的解決手段によれば、端末デバイスの位置が比較的固定される場合、端末デバイスがデータメッセージをネットワーク側デバイスに送信するときにＩＤを保持する必要はなく、データメッセージのサイズを低減させる。加えて、図３に示された技術的解決手段によれば、グラントフリーリソースが使い切りとなって、いくつかの端末デバイスがグラントフリーリソースを用いることによってデータメッセージをネットワーク側デバイスに送信することができないケースが回避されることが、さらに保証され得る。
【００９３】
任意で、いくつかの実施形態においては、ターゲットグラントフリーリソースが専用グラントフリーリソースであるとき、ネットワーク側デバイス１１０はさらに、ターゲットグラントフリーリソースの有効範囲を端末デバイス１２０に送信し得る。
【００９４】
任意で、いくつかの実施形態においては、有効範囲は、専用グラントフリーリソースの有効時間を含み得る。この場合、端末デバイス１２０は、現在時刻が有効時間を超過したかどうか判定し得、有効時間を超過していない場合、専用グラントフリーリソースを用いることによって第１のデータをネットワーク側デバイス１１０に送信し得、有効時間を超過した場合、汎用グラントフリーリソースを用いることによって第２のデータをネットワーク側デバイス１１０に送信し得る。
【００９５】
任意で、いくつかの他の実施形態において、有効範囲は、専用グラントフリーリソースの有効位置範囲を含み得る。有効位置範囲は、地理的位置の範囲であり得、または１または複数のセル、またはセルの１または複数のセクタであり得る。この場合、端末デバイス１２０は、有効位置範囲を超過したかどうか判定し得、有効位置範囲を超過していない場合、専用グラントフリーリソースを用いることによって第１のデータをネットワーク側デバイス１１０に送信し得、有効位置範囲を超過した場合、汎用グラントフリーリソースを用いることによって第２のデータをネットワーク側デバイス１１０に送信し得る。
【００９６】
当然ながら、いくつかの他の実施形態において、有効範囲は、有効時間と有効位置範囲の両方を含み得る。現在時刻が有効時間を超過したとき、および／または端末デバイス１２０の位置が有効位置範囲を超過したとき、端末デバイス１２０は汎用グラントフリーリソースを用いることによって第２のデータをネットワーク側デバイス１１０に送信する。端末デバイス１２０は、現在時刻が有効時間を超過しないとき、および／または、端末デバイス１２０の位置が有効位置範囲を超過しないときのみ、第１のデータをネットワーク側デバイス１１０に送信するために専用グラントフリーリソースを用い得る。
【００９７】
図３に示された実施形態において、端末デバイス１２０がターゲットグラントフリーリソースを取得する前に、端末デバイス１２０は汎用グラントフリーリソースを用いることによって第２のデータをネットワーク側デバイス１１０に送信し得る。
【００９８】
さらに、いくつかの実施形態においては、端末デバイス１２０がネットワーク側デバイス１１０のサービス範囲から別のネットワーク側デバイスのサービス範囲に移動したと判定したとき、端末１２０は、別のネットワーク側デバイスによって端末デバイス１２０に割り当てられたＩＤを再取得し、別のネットワーク側デバイスによって示されたターゲットグラントフリーリソースを取得する必要がある。加えて、ネットワーク側デバイス１１０のサービス範囲から別のネットワーク側デバイスのサービス範囲に移動したと判定した後で、別のネットワーク側デバイスによって端末デバイス１２０に割り当てられたＩＤを取得する前に、端末デバイス１２０は、ネットワーク側デバイス１１０によって端末デバイス１２０に割り当てられたＩＤを用いることによって別のネットワーク側デバイスと通信しない。端末１２０が別のネットワーク側デバイスによって端末デバイス１２０に割り当てられたＩＤを再取得し、別のネットワーク側デバイスによって示されたターゲットグラントフリーリソースを取得することを必要とする具体的なプロセスは、図２に示されたプロセスと同一である。本明細書では、詳細を改めて説明する必要はない。
【００９９】
図４は、本願の実施形態によるデータ送信方法の概略フローチャートである。
【０１００】
４０１：ネットワーク側デバイス１１０は、端末デバイス１２０に割り当てられたＩＤを端末デバイス１２０に送信する。
【０１０１】
４０２：端末デバイス１２０は、汎用グラントフリーリソースを用いることによって、ネットワーク側デバイス１１０にデータメッセージを送信する。ここで、端末デバイス１２０によってネットワーク側デバイス１１０に送信されたデータメッセージは、端末デバイス１２０によって送信されたデータと、ネットワーク側デバイス１１０によって端末デバイス１２０に割り当てられたＩＤとを含む。
【０１０２】
端末デバイス１２０によって汎用グラントフリーリソースを取得する方式に関しては、図２に示された実施形態を参照する。本明細書では、詳細を改めて説明する必要はない。
【０１０３】
４０３：ネットワーク側デバイス１１０は、データメッセージに基づいて端末デバイス１２０のモビリティ情報を判定し得る。
【０１０４】
任意で、いくつかの実施形態においては、データメッセージは、モビリティ属性に関連する端末デバイス１１０の情報を反映し得る。例えば、ネットワーク側デバイス１１０はデータメッセージに基づいて端末デバイス１２０のサービスタイプを判定し得、端末デバイス１２０のサービスタイプに基づいて端末デバイス１２０のモビリティ属性を判定し、端末デバイス１２０のモビリティ情報を判定する。例えば、端末デバイス１２０のサービスタイプが固定された位置で完了するサービス、例えば、メータ読み取りサービスまたは環境モニタリングサービスを示す場合、端末デバイス１２０のモビリティ属性が固定端末デバイスを示す旨が決定され得る。端末デバイス１２０のサービスタイプが固定されない位置で完了するサービス、例えば、インテリジェントパーキングまたはインテリジェントトラッキングを示す場合、端末デバイス１２０のモビリティ属性が移動可能端末デバイスを示す旨が決定され得る。ネットワーク側デバイス１１０によって判定されるモビリティ情報は、端末デバイス１２０のモビリティ属性であり得る。
【０１０５】
任意で、いくつかの他の実施形態において、ネットワーク側デバイス１１０は、端末デバイス１２０によって送信されたデータメッセージに基づいて端末デバイス１２０の地理的位置情報、移動速度、および移動範囲のうち１または複数を判定し得る。これらの情報は、端末デバイス１２０のモビリティ情報である。
【０１０６】
４０４：ネットワーク側デバイス１１０は、端末デバイス１２０のモビリティ情報に基づいて、端末デバイス１２０によって用いられるターゲットグラントフリーリソースを判定し、そのターゲットグラントフリーリソースを端末デバイス１２０に示す。
【０１０７】
モビリティ情報が端末デバイス１２０のモビリティ属性である具体的な実装に関して、図２または図３に示された実施形態を参照する。本明細書では、詳細は改めて説明する必要はない。
【０１０８】
任意で、いくつかの実施形態において、モビリティ情報が、地理的位置情報、移動速度、および移動範囲のうち１または複数であるとき、ネットワーク側デバイス１１０は、モビリティ情報に基づいて端末デバイスのモビリティ属性を判定し得、端末デバイスのモビリティ属性に基づいてターゲットグラントフリーリソースを判定し得る。ネットワーク側デバイス１１０が端末デバイスのモビリティ属性に基づいてターゲットグラントフリーリソースを判定する具体的な実装に関して、図３に示された実施形態もまた参照する。本明細書において詳細を説明する必要はない。
【０１０９】
任意で、いくつかの他の実施形態において、モビリティ情報が、地理的位置情報、移動速度、および移動範囲のうち１または複数であるとき、ネットワーク側デバイス１１０は、地理的位置情報、移動速度、および移動範囲のうち１または複数に基づいてターゲットグラントフリーリソースを判定し得る。
【０１１０】
地理的位置情報は例として用いられる。複数回判定された地理的位置が変化しないままである場合、または地理的位置の変化範囲がプリセットされた変化範囲内である場合、ネットワーク側デバイス１１０は、複数のグラントフリーリソースのうちの１つのグラントフリーリソースを端末デバイス１２０のための専用グラントフリーリソースとして判定し得る。端末デバイス１２０の地理的位置が変化し、変化範囲がプリセットされた変化範囲を超過した場合、ネットワーク側デバイス１１０は、ターゲットグラントフリーリソースが汎用グラントフリーリソースである旨を決定し得る。
【０１１１】
先述の実施形態において、ネットワーク側デバイス１１０が地理的位置情報、移動速度、移動範囲に基づいてターゲットグラントフリーリソースを判定するとき、ネットワーク側デバイス１１０は一般化されたモビリティ判定基準を用いる。言い換えれば、端末デバイスが移動する場合であっても、端末デバイスの移動範囲が指定範囲内であるならば、複数のグラントフリーリソースのうちの１つのグラントフリーリソースが、端末デバイスのための専用グラントフリーリソースとして判定され得る。
【０１１２】
いくつかの他の実施形態において、ネットワーク側デバイス１１０が地理的位置情報、移動速度、および移動範囲に基づいてターゲットグラントフリーリソースを判定するとき、ネットワーク側デバイス１１０は、代わりに、狭く定義されたモビリティ判定基準を用い得る。具体的には、端末デバイスの地理的位置情報が変化するならば、または端末デバイスが移動するならば、端末デバイスは移動可能端末デバイスである旨みなされ得、ターゲットグラントフリーリソースは汎用グラントフリーリソースである旨決定される。端末デバイスの位置が変化しないままであるときのみ、複数のグラントフリーリソースのうちの１つのグラントフリーリソースが、端末デバイスのための専用グラントフリーリソースとして判定され得る。
【０１１３】
４０５：端末デバイス１２０が、ターゲットグラントフリーリソースを用いることによってネットワーク側デバイス１１０と通信する。
【０１１４】
段階４０４および段階４０５は、図２および図３に示された方法と類似する。本明細書では、詳細は改めて説明する必要はない。
【０１１５】
図４に示された技術的解決手段によれば、ネットワーク側デバイスは任意に、端末デバイスのモビリティ情報を判定し得る。端末デバイスの位置が比較的固定されている場合、端末デバイスがデータメッセージをネットワーク側デバイスに送信するときにＩＤを保持する必要はなく、データメッセージのサイズを低減する。加えて、図４に示された技術的解決手段によれば、グラントフリーリソースが使い切りとなって、いくつかの端末デバイスがグラントフリーリソースを用いることによってデータメッセージをネットワーク側デバイスに送信することができないケースが、回避されることがさらに保証され得る。
【０１１６】
図４に示される解決手段において、ネットワーク側デバイス１１０が、汎用グラントフリーリソースを用いることによって端末デバイス１２０によって送信されたデータメッセージを用いることによって、端末デバイス１２０のモビリティ情報を判定することが、理解され得る。したがって、端末デバイス１２０は、データメッセージをネットワーク側デバイス１１０に送信することによって、端末デバイス１２０のモビリティ情報をネットワーク側デバイス１１０に示すと、みなされ得る。
【０１１７】
加えて、図３に示された方法に類似して、いくつかの実施形態においては、ターゲットグラントフリーリソースが専用グラントフリーリソースであるとき、ネットワーク側デバイス１１０はさらに、ターゲットグラントフリーリソースの有効範囲を端末デバイス１２０に送信し得る。具体的な説明は上述の方法の説明を参照する。本明細書では、詳細を改めて説明する必要はない。
【０１１８】
さらに、いくつかの実施形態においては、端末デバイス１２０がネットワーク側デバイス１１０のサービス範囲から別のネットワーク側デバイスのサービス範囲に移動することを判定した場合、端末１２０は、別のネットワーク側デバイスによって端末デバイス１２０に割り当てられたＩＤを再取得し、別のネットワーク側デバイスによって示されたターゲットグラントフリーリソースを取得することを必要とする。加えて、ネットワーク側デバイス１１０のサービス範囲から別のネットワーク側デバイスのサービス範囲に移動することの判定の後で、別のネットワーク側デバイスによって端末デバイス１２０に割り当てられたＩＤの取得の前に、端末デバイス１２０は、ネットワーク側デバイス１１０によって端末デバイス１２０に割り当てられたＩＤを用いることによって別のネットワーク側デバイスと通信しない。端末１２０は別のネットワーク側デバイスによって端末デバイス１２０に割り当てられたＩＤを再取得して別のネットワーク側デバイスによって示されたターゲットグラントフリーリソースを取得する必要があるという具体的なプロセスは、図２に示されたプロセスと同一である。本明細書では、詳細を改めて説明する必要はない。
【０１１９】
図５は、本願の実施形態による端末デバイスの構造ブロック図である。図５に示されるように、端末デバイス５００は受信ユニット５０１および送信ユニット５０２を含む。
【０１２０】
受信ユニット５０１は第１識別子ＩＤを受信するように構成され、ここで、第１ＩＤは第１ネットワーク側デバイスによって端末デバイス５００に割り当てられたＩＤであり、端末デバイス５００は第１エリアに位置し、第１エリアは第１ネットワーク側デバイスがサービスを提供するエリアであり、第１ＩＤは第１エリアにおいて有効である。
【０１２１】
送信ユニット５０２は、端末デバイス５０１のモビリティ情報を第１ネットワーク側デバイスに示すように構成される。
【０１２２】
受信ユニット５０１は、第１ネットワーク側デバイスによって示されたターゲットグラントフリー情報を受信するようにさらに構成され、ここで、ターゲットグラントフリーリソースは専用グラントフリーリソースまたは汎用グラントフリーリソースであり、専用グラントフリーリソースを用いることによって送信ユニット５０２によって第１ネットワーク側デバイスに送信されたデータ情報は、端末デバイス５００によって送信されたデータを含み、汎用グラントフリーリソースを用いることによって送信ユニット５０２によって第１ネットワーク側デバイスに送信されたデータ情報は、端末デバイス５００によって送信されたデータおよび第１ＩＤを含む。
【０１２３】
端末デバイス５００は、さらに、第１プロセスユニット５０３、第２プロセスユニット５０４、および第３プロセスユニット５０５を含み得る。第１プロセスユニット５０３は、モビリティ情報を判定するように構成される。第２プロセスユニット５０４は、端末デバイス５００が第１エリアに位置する旨を決定するように構成される。第３プロセスユニット５０３は、端末デバイス５００が第２エリアから第１エリアへ移動した旨を決定するように構成される。
【０１２４】
端末デバイス１２００の受信ユニット５０１、送信ユニット５０２、第１プロセスユニット５０３、第２プロセスユニット５０４、および第３プロセスユニット５０５の動作および機能に関しては、上述の方法における説明を参照する。繰り返しを回避するように、本明細書では詳細を改めて説明しない。
【０１２５】
第１プロセスユニット５０３は、プロセッサによって実装され得る。第２プロセスユニット５０４および第３プロセスユニット５０５は、測位に用いられるプロセッサおよび／またはチップによって実装され得る。受信ユニット５０１および送信ユニット５０２は送受信機によって実装され得る。
【０１２６】
図６は、本願の実施形態によるネットワーク側デバイスの構造ブロック図である。図６に示されるように、ネットワーク側デバイス６００はプロセスユニット６０１、送信ユニット６０２、および受信ユニット６０３を含む。
【０１２７】
プロセスユニット６０１は、第１識別子ＩＤを端末デバイスに割り当てるように構成され、ここで、端末デバイスは第１エリアに位置し、第１エリアはネットワーク側デバイス６００がサービスを提供するエリアであり、第１ＩＤは第１エリアにおいて有効である。
【０１２８】
プロセスユニット６０１は、さらに、端末デバイスのモビリティ情報を取得するように構成される。
【０１２９】
プロセスユニット６０１は、さらに、モビリティ情報に基づいてターゲットグラントフリーリソースを判定するように構成され、ここで、ターゲットグラントフリーリソースは専用グラントフリーリソースまたは汎用グラントフリーリソースであり、汎用グラントフリーリソースを用いることによって受信ユニット６０３によって受信されるデータ情報は、データおよびデータを送信する端末デバイスのＩＤを含み、専用グラントフリーリソースを用いることによって受信ユニット６０３によって受信されるデータ情報は、データを含む。
【０１３０】
送信ユニット６０２は、ターゲットグラントフリーリソースを端末デバイスに示すように構成される。
【０１３１】
ネットワーク側デバイス６００のプロセスユニット６０１、送信ユニット６０２および受信ユニット６０３の動作および機能に関して、上述の方法における説明を参照する。繰り返しを回避するように、本明細書では詳細を改めて説明しない。
【０１３２】
プロセスユニット６０１は、プロセッサによって実装され得、送信ユニット６０２および受信ユニット６０３は、送受信機によって実装され得る。
【０１３３】
図７は、本願の実施形態による端末デバイスの構造ブロック図である。図７に示される端末デバイス７００は、プロセッサ７０１、メモリ７０２、および送受信機７０３を含む。
【０１３４】
端末デバイス７００における構成要素は、制御および／またはデータ信号を転送するように、内部接続パスを用いることによって、互いに通信する。
【０１３５】
本願の上述の実施形態において開示された方法は、プロセッサ７０１に適用され得、またはプロセッサ７０１によって実装され得る。プロセッサ７０１は集積回路チップであり得、信号プロセス性能を有する。一実装プロセスにおいて、上述の方法における段階は、プロセッサ７０１におけるハードウェア統合論理回路を用いることによって、または、ソフトウェア形態の命令を用いることによって、実装され得る。プロセッサ７０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラマブル論理デバイス、ディスクリートのゲートもしくはトランジスタロジックデバイス、またはディスクリートのハードウェアコンポーネントであり得る。本願の実施形態において開示されるものは、方法、段階、および論理ブロック図を実装または実行し得る。汎用プロセッサはマイクロプロセッサであってよく、または、プロセッサは任意の従来のプロセッサもしくは同様のものであってよい。本願の実施形態を参照して開示された方法の段階は、ハードウェアデコードプロセッサを用いることによって直接実行および実現されてよく、または、デコードプロセッサにおけるハードウェアおよびソフトウェアモジュールの組み合わせを用いることによって実行および実現されてもよい。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリメモリ（Ｒｅａｄ−Ｏｎｌｙ  Ｍｅｍｏｒｙ、ＲＯＭ）、プログラマブルリードオンリメモリ、電気消去可能プログラマブルメモリ、またはレジスタなどの、当技術分野における成熟した格納媒体に位置してよい。格納媒体はメモリ７０２に位置する。プロセッサ７０１はメモリ７０２において命令を読み出し、送受信機７０３と組み合わせて、上述の方法で端末デバイスによって実行される段階を実装する。
【０１３６】
いくつかの実施形態において、端末デバイス７００はさらに、測位のために用いられるチップを含み得る。チップは、全地球測位システム（Ｇｌｏｂａｌ  Ｐｏｓｉｔｉｏｎｉｎｇ  Ｓｙｓｔｅｍ、ＧＰＳ）などの技術を用いて、端末デバイスの位置を判定し得る。
【０１３７】
図７に示されたプロセッサ７０１、メモリ７０２、および送受信機７０３に加えて、端末デバイス７００は、アンテナ、ディスプレイ、および入力装置などの、さらにいくつかの必要な装置を含むべきであることが、理解され得る。冗長性を回避するように、図７では先述の装置は不図示である。
【０１３８】
図８は、本願の実施形態によるネットワーク側デバイスの構造ブロック図である。図８に示されたネットワーク側デバイス８００は、プロセッサ８０１、メモリ８０２、および送受信機８０３を含む。
【０１３９】
ネットワーク側デバイス８００の構成要素は、制御および／またはデータ信号を転送するように、内部接続パスを用いることによって、互いに通信する。
【０１４０】
本願の上述の実施形態において開示された方法は、プロセッサ８０１に適用され得、または、プロセッサ８０１によって実装され得る。プロセッサ８０１は、集積回路チップであり得、信号プロセス性能を有する。一実装プロセスにおいて、上述の方法における段階は、プロセッサ８０１におけるハードウェア統合論理回路を用いることによって、または、ソフトウェア形態における命令を用いることによって、実装され得る。プロセッサ８０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラマブル論理デバイス、ディスクリートのゲートもしくはトランジスタロジックデバイス、またはディスクリートのハードウェアコンポーネントであり得る。本願の実施形態において開示されたものは、方法、段階、および論理ブロック図を実装および実行し得る。汎用プロセッサはマイクロプロセッサであってよく、または、プロセッサは任意の従来のプロセッサもしくは同様のものであってよい。本願の実施形態を参照して開示された方法の段階は、ハードウェアデコードプロセッサを用いることによって直接実行および実現されてよく、または、デコードプロセッサにおけるハードウェアおよびソフトウェアモジュールの組み合わせを用いることによって実行および実現されてよい。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリメモリ（Ｒｅａｄ−Ｏｎｌｙ  Ｍｅｍｏｒｙ、ＲＯＭ）、プログラマブルリードオンリメモリ、電気消去可能プログラマブルメモリ、またはレジスタなどの、当技術分野における成熟した格納媒体に位置してよい。格納媒体はメモリ８０２に位置する。プロセッサ８０１はメモリ８０２における命令を読み出し、送受信機８０３と組み合わせて、上述の方法でネットワーク側デバイスによって実行される段階を実装する。
【０１４１】
図８に示されたプロセッサ８０１、メモリ８０２、および送受信機８０３に加えて、ネットワーク側デバイス８００はさらに、アンテナ、巡回プレフィックスリムーバ、および高速フーリエ変換プロセッサなどの、いくつかの必要な装置を含むべきであることが、理解され得る。冗長性を回避するように、先述の装置は図８には不図示である。
【０１４２】
当業者は、本明細書に開示された実施形態において説明された例の組み合わせにおいて、ユニットおよびアルゴリズム段階が電子的ハードウェアによって、またはコンピュータソフトウェアと電子的ハードウェアとの組み合わせによって実装され得ることを認識し得る。機能がハードウェアまたはソフトウェアのいずれによって実行されるかは、技術的解決手段の特定の用途および設計の制約条件によって決まる。当業者は、各特定の用途に関して説明された機能を実装する、異なる方法を用い得るが、それは、実装が本願の範囲を超えるとみなされるべきではない。
【０１４３】
当業者によって明確に理解され得るように、簡便および簡潔な説明を目的として、先述のシステム、装置およびユニットの詳細な動作プロセスについては、上述の方法の実施形態における対応するプロセスを参照されたい。本明細書では詳細は改めて説明しない。
【０１４４】
本願において提供された複数の実施形態において、開示されたシステム、装置、および方法は、他の態様でも実装されてよいことを理解されたい。例えば、説明された装置の実施形態は単に例である。例えば、ユニットの区分は、単に論理的な機能区分であり、実際の実装においては他の区分であってよい。例えば、複数のユニットまたは構成要素が別のシステムへと組み合わせられるか、統合されてよく、または、いくつかの特徴が無視されるか、または実行されなくてよい。加えて、表示された、または説明された、相互結合または直接結合または通信接続は、いくつかのインタフェースを用いることによって実装されてよい。装置またはユニットの間の間接結合または通信接続は、電気的、機械的、または他の形態において実装されてよい。
【０１４５】
別個の部分として説明されたユニットは、物理的に別個であってもよく、別個でなくてもよく、ユニットとして表示された部分は、物理的なユニットであってもよく、なくてもよく、一か所に位置してもよく、複数のネットワークユニット上に分散されてもよい。いくつかの、またはすべてのユニットは、実施形態の解決手段の目的を実現するための実際の要件に基づいて選択されてよい。
【０１４６】
加えて、本願の実施形態における機能ユニットは１つのプロセスユニットへと統合されてよく、または、各ユニットが単独で物理的に存在してよく、または、２つまたはそれ以上のユニットが１つのユニットへと統合される。
【０１４７】
機能がソフトウェア機能ユニットの形態で実装されて、独立した製品として販売または使用されるとき、機能はコンピュータ可読格納媒体に格納されてよい。そのような理解に基づいて、本願の技術的解決手段は本質的に、または先行技術に寄与する部分が、または技術的解決手段の一部が、ソフトウェア製品の形態で実装されてよい。コンピュータソフトウェア製品は、格納媒体に格納され、コンピュータデバイス（パーソナルコンピュータ、サーバ、ネットワーク側デバイス、または同様のもの）に、本願の実施形態において説明された方法のすべてまたは一部の段階を実行するように命令するための、複数の命令を含む。先述の格納媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを格納可能な任意の媒体を含む。
【０１４８】
先述の説明は、単に本願の具体的な実装にすぎず、本願の保護範囲を限定する意図はない。本願に開示された技術範囲内で、当業者によって容易に理解される任意の変形または置換は、本願の保護範囲に含まれるものとする。したがって、本願の保護範囲は請求項の保護範囲を対象とするものとする。
【図１】
2020502891.tif 000003
【図２】
2020502891.tif 000004
【図３】
2020502891.tif 000005
【図４】
2020502891.tif 000006
【図５】
2020502891.tif 000007
【図６】
2020502891.tif 000008
【図７】
2020502891.tif 000009
【図８】
2020502891.tif 000010
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
データ伝送方法であって、
端末デバイスが第１識別子ＩＤを受信する段階であって、前記第１識別子ＩＤは第１ネットワーク側デバイスによって前記端末デバイスに割り当てられたＩＤであり、前記端末デバイスは第１エリアに位置し、前記第１エリアは前記第１ネットワーク側デバイスがサービスを提供するエリアであり、前記第１識別子ＩＤは前記第１エリアにおいて有効である、段階と、
前記端末デバイスが前記端末デバイスのモビリティ情報を前記第１ネットワーク側デバイスに示す段階と、
前記端末デバイスが、前記第１ネットワーク側デバイスによって示されたターゲットグラントフリーリソースを受信する段階であって、前記ターゲットグラントフリーリソースは専用グラントフリーリソースまたは汎用グラントフリーリソースであり、前記専用グラントフリーリソースを用いることによって前記端末デバイスによって前記第１ネットワーク側デバイスに送信されるデータ情報は、前記端末デバイスによって送信されるデータを含み、前記汎用グラントフリーリソースを用いることによって前記端末デバイスによって前記第１ネットワーク側デバイスに送信されるデータ情報は、前記端末デバイスによって送信されるデータ、および前記第１識別子ＩＤを含む、段階とを備える、
方法。
【請求項２】
前記端末デバイスが、前記端末デバイスのモビリティ情報を前記第１ネットワーク側デバイスに示す前記段階は、
前記端末デバイスが、前記モビリティ情報を判定して、前記第１ネットワーク側デバイスに前記モビリティ情報を送信する段階、または、
前記端末デバイスが、前記第１ネットワーク側デバイスに第１データ情報を送信する段階であって、前記第１データ情報は、前記第１識別子ＩＤおよび前記端末デバイスによって送信されるデータを含む、段階を含む、
請求項１に記載の方法。
【請求項３】
前記端末デバイスが前記モビリティ情報を判定する前記段階は、
前記端末デバイスが前記端末デバイスのステータス情報を取得する段階であって、前記端末デバイスの前記ステータス情報は前記端末デバイスの位置情報および／または前記端末デバイスのモビリティ属性を含む、段階と、
前記端末デバイスが、前記端末デバイスの前記ステータス情報に基づいて前記端末デバイスの前記モビリティ情報を判定する段階と
を含む、請求項２に記載の方法。
【請求項４】
前記方法はさらに、
前記ターゲットグラントフリーリソースが前記専用グラントフリーリソースである旨を決定したとき、前記端末デバイスが、前記専用グラントフリーリソースを用いることによって前記第１ネットワーク側デバイスに第２データ情報を送信する段階であって、前記第２データ情報は、前記端末デバイスによって送信されるデータを含む段階、または、
前記ターゲットグラントフリーリソースが前記汎用グラントフリーリソースである旨を決定したとき、前記端末デバイスが、前記汎用グラントフリーリソースを用いることによって前記第１ネットワーク側デバイスに第３データ情報を送信する段階であって、前記第３データ情報は前記端末デバイスによって送信されるデータ、および前記第１識別子ＩＤを含む、段階を備える、
請求項１から３のいずれか一項に記載の方法。
【請求項５】
前記ターゲットグラントフリーリソースが前記専用グラントフリーリソースであるとき、前記方法はさらに、
前記端末デバイスが、前記第１ネットワーク側デバイスによって送信される前記ターゲットグラントフリーリソースの有効範囲を受信する段階と、
前記端末デバイスが、前記ターゲットグラントフリーリソースの前記有効範囲を超過しているかどうか判定する段階であって、
前記ターゲットグラントフリーリソースの前記有効範囲を超過していない場合、前記専用グラントフリーリソースを用いることによって第２データ情報を前記第１ネットワーク側デバイスに送信する段階であって、前記第２データ情報は、前記端末デバイスによって送信されるデータを含む段階、または、
前記ターゲットグラントフリーリソースの有効範囲を超過している場合、前記汎用グラントフリーリソースを用いることによって第３データ情報を前記第１ネットワーク側デバイスに送信する段階であって、前記第３データ情報は前記端末デバイスによって送信されるデータ、および前記第１識別子ＩＤを含む、段階とを備える、
請求項１から３のいずれか一項に記載の方法。
【請求項６】
前記端末デバイスが前記汎用グラントフリーリソースを用いることによって前記第２データ情報を前記第１ネットワーク側デバイスに送信する前記段階の前に、前記方法はさらに、
前記端末デバイスが、前記端末デバイスが前記第１エリアに位置する旨を決定する段階を備える、請求項４または５に記載の方法。
【請求項７】
前記端末デバイスが、前記端末デバイスのモビリティ情報を前記第１ネットワーク側デバイスに示す前記段階の前に、前記方法はさらに、
前記端末デバイスが、第２エリアから前記第１エリアに移動する旨を決定する段階であって、第２ネットワーク側デバイスが前記第２エリアにおいてサービスを提供する、段階をさらに含む、
請求項１から６のいずれか一項に記載の方法。
【請求項８】
データ伝送方法であって、
ネットワーク側デバイスが、第１識別子ＩＤを端末デバイスに割り当てる段階であって、前記端末デバイスは第１エリアに位置し、前記第１エリアは前記ネットワーク側デバイスがサービスを提供するエリアであり、前記第１識別子ＩＤは前記第１エリアにおいて有効である、段階と、
前記ネットワーク側デバイスが、前記端末デバイスのモビリティ情報を取得する段階と、
前記ネットワーク側デバイスが、前記モビリティ情報に基づいてターゲットグラントフリーリソースを判定する段階であって、前記ターゲットグラントフリーリソースは専用グラントフリーリソースまたは汎用グラントフリーリソースであり、前記汎用グラントフリーリソースを用いることによって前記ネットワーク側デバイスによって受信されたデータ情報は、データおよび前記データを送信する端末デバイスのＩＤを含み、前記専用グラントフリーリソースを用いることによって前記端末デバイスによって受信されたデータ情報は、データを含む、段階と、
前記ネットワーク側デバイスが、前記ターゲットグラントフリーリソースを前記端末デバイスに示す段階とを備える
方法。
【請求項９】
前記ネットワーク側デバイスが前記モビリティ情報に基づいてターゲットグラントフリーリソースを判定する前記段階は、
前記端末デバイスの位置が固定されているとき、前記ネットワーク側デバイスが、前記ターゲットグラントフリーリソースが前記専用グラントフリーリソースである旨を決定する段階、または、
前記端末デバイスの位置が固定されていないとき、前記ネットワーク側デバイスが、前記ターゲットグラントフリーリソースが前記汎用グラントフリーリソースである旨を決定する段階を備える、または、
前記端末デバイスの位置が固定されるか、前記端末デバイスの位置変化が指定範囲内であるとき、前記ネットワーク側デバイスが、前記ターゲットグラントフリーリソースが前記専用グラントフリーリソースである旨を決定する段階、または、
前記端末デバイスの位置変化が前記指定範囲を超過するとき、前記ネットワーク側デバイスが、前記ターゲットグラントフリーリソースが前記汎用グラントフリーリソースである旨を決定する段階を備える、
請求項８に記載の方法。
【請求項１０】
前記ネットワーク側デバイスによって判定された前記ターゲットグラントフリーリソースが前記専用グラントフリーリソースであるとき、前記方法はさらに、
前記ネットワーク側デバイスが、専用グラントフリーリソースの有効範囲を判定する段階と、
前記ネットワーク側デバイスが、前記有効範囲を前記端末デバイスに送信する段階とを備える、
請求項９に記載の方法。
【請求項１１】
前記ネットワーク側デバイスによって判定された前記ターゲットグラントフリーリソースが前記専用グラントフリーリソースであるとき、方法はさらに、
前記ネットワーク側デバイスが、前記専用グラントフリーリソースを用いることによって第１データメッセージを受信する段階と、
前記ネットワーク側デバイスが、前記第１データメッセージによって保持されるデータが前記端末デバイスによって送信される旨を決定する段階とを備える、
請求項９または１０に記載の方法。
【請求項１２】
前記方法はさらに、
前記ネットワーク側デバイスが、前記汎用グラントフリーリソースを用いることによって第２データメッセージを受信する段階と、
前記ネットワーク側デバイスが、前記第２データメッセージによって保持されるＩＤが前記第１識別子ＩＤである旨を決定する段階と、
前記ネットワーク側デバイスが、前記第２データメッセージによって保持されたデータが前記端末デバイスによって送信される旨を決定する段階とを備える、
請求項９または１０に記載の方法。
【請求項１３】
前記ネットワーク側デバイスが、前記端末デバイスのモビリティ情報を取得する前記段階は、
前記ネットワーク側デバイスが、前記端末デバイスによって送信された前記モビリティ情報を受信する段階、または、
前記ネットワーク側デバイスが、前記モビリティ情報を判定する段階を備える、
請求項８から１２のいずれか一項に記載の方法。
【請求項１４】
前記ネットワーク側デバイスが前記モビリティ情報を判定する前記段階は、
前記ネットワーク側デバイスが、前記汎用グラントフリーリソースを用いることによって第３データメッセージを受信する段階であって、前記第３データメッセージは前記第１識別子ＩＤを保持する、段階と、
前記ネットワーク側デバイスが、前記第３データメッセージに基づいて前記モビリティ情報を判定する段階とを備える、
請求項１３に記載の方法。
【請求項１５】
請求項１から１４のいずれか一項に記載の方法を実行するように構成されたデバイス。
【手続補正２】
【補正対象書類名】明細書
【補正対象項目名】全文
【補正方法】変更
【補正の内容】
【発明の詳細な説明】
【技術分野】
【０００１】
本願は、２０１７年１月５日に中国特許庁に出願された、「データ伝送方法、端末デバイス、およびネットワーク側デバイス」と題する、中国特許出願第２０１７１０００８４５４．７号の優先権を主張し、その全体が参照により本明細書に組み込まれる。
【０００２】
本願の実施形態は、通信技術の分野に関し、より具体的には、データ伝送方法、端末デバイス、およびネットワーク側デバイスに関する。
【背景技術】
【０００３】
既存のロングタームエボリューション（Ｌｏｎｇ  Ｔｅｒｍ  Ｅｖｏｌｕｔｉｏｎ、ＬＴＥ）システムにおいて、接続モードにおけるユーザに関して、アップリンクデータを伝送する必要があるときは、端末デバイスは、アップリンクスケジューリング要求（Ｓｃｈｅｄｕｌｉｎｇ  Ｒｅｑｕｅｓｔ、ＳＲ）またはバッファステータス報告（Ｂｕｆｆｅｒ  Ｓｔａｔｕｓ  Ｒｅｐｏｒｔ、ＢＳＲ）のメカニズムを用いる。具体的には、端末デバイスは、アップリンクスケジューリング要求またはバッファステータス報告をネットワーク側デバイスに送信し、端末デバイスがデータ伝送のためのアップリンクリソースを必要とする旨を、ネットワーク側デバイスに通知する。リソースのスケジューリングがユーザに対して実行されることを必要としている旨の、端末デバイスからのスケジューリング要求の受信の後、またはＢＳＲに基づいた判定の後、ネットワーク側デバイスは、特定のリソースを端末デバイスに割り当て、端末デバイスは、これらの割り当てられたリソースにおいてデータを伝送する。そのようなスケジューリングベースのメカニズムは、大幅なシグナリングオーバヘッドを生じさせ、また、伝送遅延を生じさせる。
【０００４】
将来の５Ｇにおいて、大容量マシンタイプ通信（Ｍａｃｈｉｎｅ  Ｔｙｐｅ  Ｃｏｍｍｕｎｉｃａｔｉｏｎ、ＭＴＣ）に関するサービスが提供される。そのようなサービスの特徴は、この種類のデバイスが多数あること、および、不定期な少量データ（Ｉｎｆｒｅｑｕｅｎｔ  ｓｍａｌｌ  ｄａｔａ）の伝送が主になることである。ＭＴＣサービスのために、基本的要件として、バッテリ寿命に関する非常に高い要件がある。したがって、エネルギー消費には非常に高い要件が課せられる。スケジューリングベースの態様が用いられる場合、シグナリングプロセスにおいてエネルギー消費の増加が生じ、ＭＴＣサービスに課題をもたらす。加えて、いくつかのアプリケーション層におけるシグナリングに関して、多数の不定期な少量データが伝送される。そのようなサービスがスケジューリングベースの方法を用いることによって伝送される場合、大幅なシグナリングオーバヘッドが生じる。先述の問題を解決するために、グラントフリー（Ｇｒａｎｔ  Ｆｒｅｅ）技術的解決手段が、業界で提案されている。グラントフリーは、公衆陸上移動体ネットワーク（Ｐｕｂｌｉｃ  Ｌａｎｄ  Ｍｏｂｉｌｅ  Ｎｅｔｗｏｒｋ、ＰＬＭＮ）において、端末デバイスが、スケジューリング要求を用いることによって、ネットワーク側デバイスにリソースの割り当てを要求することなくデータを伝送することが可能であることを意味する。グラントフリーのユーザは、異なる特徴のデータ伝送、例えば、伝送遅延または信頼性要件に基づいて、接続モードに入ることなく、データ情報をネットワーク側デバイスに直接送信し得る。
【０００５】
グラントフリー技術を用いてデータを伝送するとき、ネットワーク側デバイスは、受信されたデータ情報の伝送端の識別情報を判定する必要がある。現在の技術的解決手段において、ネットワーク側デバイスは、グラントフリーアクセスのために、サービス範囲内の各端末デバイスに１つの専用リソースを割り当て得る。専用リソースは、主に、ユーザに割り当てられた識別子（ＩＤ）、または、復調基準信号（Ｄｅｍｏｄｕｌａｔｉｏｎ  Ｒｅｆｅｒｅｎｃｅ  Ｓｉｇｎａｌ、ＤＭＲＳ）などの直交シーケンス、および、ユーザが利用可能なグラントフリー時間周波数リソースを含む。グラントフリー時間周波数リソースは、直交シーケンスを有する複数のユーザによって共有され得る。データ情報を送信するとき、各端末デバイスは、ネットワーク側デバイスによって割り当てられた専用グラントフリーリソースを用いる。異なる端末装置は、異なる専用グラントフリーリソースを有する。このやり方で、ネットワーク側デバイスは、ネットワーク側デバイスがデータ情報を受信する場合に用いられるグラントフリーリソースに基づいて、データ情報の伝送端の識別情報を判定し得る。しかしながら、グラントフリーリソースは限られており、ネットワーク側デバイスがサービス範囲内の各端末デバイスに専用グラントフリーリソースを割り当て可能にすることを、ネットワーク側デバイスが保証することができない。別の技術的解決手段において、ネットワーク側デバイスは汎用グラントフリーリソースを割り当て得る。汎用グラントフリーリソースは、複数のグラントフリーリソースを含み得る。端末デバイスは、１つのグラントフリーリソースを選択して、データ情報をネットワーク側デバイスに送信し得る。データ情報は、端末デバイスによって送信されたデータのみでなく、端末デバイスの識別子もまた保持する。異なる端末装置が、同一のグラントフリーリソースを用いることによって、データメッセージをネットワーク側デバイスに送信し得る。ネットワーク側デバイスは、受信されたデータメッセージにおいて保持された識別子に基づいて、データメッセージを送信する伝送端の識別情報を判定し得る。この技術的解決手段は、ネットワーク側デバイスがサービス範囲内の各端末デバイスに専用グラントフリーリソースを割り当て可能なことをネットワーク側デバイスが保証することができない問題を効果的に解決できるが、端末デバイスによって送信されたデータメッセージは、比較的大きなサイズを有する。したがって、先述の２つの技術的解決手段における既存の問題を解決する技術的解決手段が、必要とされる。
【発明の概要】
【０００６】
本願の実施形態は、データ伝送方法、端末デバイス、およびネットワーク側デバイスを提供し、その結果、端末デバイスは適切なグラントフリーリソースを用い得る。
【０００７】
第１の態様によれば、本願の実施形態はデータ伝送方法を提供する。方法は、端末デバイスが第１識別子ＩＤを受信する段階であって、ここで、第１識別子ＩＤは第１ネットワーク側デバイスによって端末デバイスに割り当てられたＩＤであり、端末デバイスは第１エリアに位置し、第１エリアは、第１ネットワーク側デバイスがサービスを提供するエリアであり、第１識別子ＩＤは第１エリアにおいて有効である、段階と、端末デバイスが端末デバイスのモビリティ情報を第１ネットワーク側デバイスに示す段階と、端末デバイスが第１ネットワーク側デバイスによって示されたターゲットグラントフリーリソースを受信する段階であって、ここで、ターゲットグラントフリーリソースは専用グラントフリーリソースまたは汎用グラントフリーリソースであり、専用グラントフリーリソースを用いることによって端末デバイスによって第１ネットワーク側デバイスに送信されるデータ情報は、端末デバイスによって送信されるデータを含み、汎用グラントフリーリソースを用いることによって端末デバイスによって第１ネットワーク側デバイスに送信されるデータ情報は、端末デバイスによって送信されるデータ、および第１識別子ＩＤを含む、段階とを備える。先述の技術的解決手段によれば、端末デバイスは、ネットワーク側デバイスによって特定されたグラントフリーリソースを取得し、ネットワーク側デバイスによって特定されたグラントフリーリソースに基づいてネットワーク側デバイスにデータを送信し得る。
【０００８】
第１の態様を参照すると、第１の態様の第１の可能な実装形態において、端末デバイスが端末デバイスのモビリティ情報を第１ネットワーク側デバイスに示す段階は、端末デバイスがモビリティ情報を判定してモビリティ情報を第１ネットワーク側デバイスに送信する段階、または、端末デバイスが第１ネットワーク側デバイスに第１データ情報を送信する段階であって、ここで、第１データ情報は、第１識別子ＩＤおよび端末デバイスによって送信されるデータを含む、段階を含む。先述の技術的解決手段によれば、端末デバイスは、ネットワーク側デバイスに関するモビリティ情報を提供し得、その結果、ネットワーク側デバイスは、モビリティ情報に基づいて、端末デバイスが利用可能なグラントフリーリソースを判定する。
【０００９】
第１の態様の第１の可能な実装形態を参照すると、第１の態様の第２の可能な実装形態において、端末デバイスがモビリティ情報を判定する段階は、端末デバイスが端末デバイスのステータス情報を取得する段階であって、ここで、端末デバイスのステータス情報は端末デバイスの位置情報および／または端末デバイスのモビリティ属性を含む、段階と、端末デバイスが、端末デバイスのステータス情報に基づいて端末デバイスのモビリティ情報を判定する段階とを含む。先述の技術的解決手段において、端末デバイスは、任意に、モビリティ情報を判定し得る。
【００１０】
第１の態様のうちのいずれか１つ、または第１の態様の先述の可能な実装形態を参照すると、第１の態様の第３の可能な実装形態において、方法はさらに、ターゲットグラントフリーリソースが専用グラントフリーリソースである旨を決定したとき、端末デバイスが、専用グラントフリーリソースを用いることによって第１ネットワーク側デバイスに第２データ情報を送信する段階であって、ここで、第２データ情報は端末デバイスによって送信されるデータを含む段階、または、ターゲットグラントフリーリソースが汎用グラントフリーリソースである旨を決定したとき、端末デバイスが、汎用グラントフリーリソースを用いることによって第１ネットワーク側デバイスに第３データ情報を送信し、ここで、第３データ情報は端末デバイスによって送信されるデータ、および第１識別子ＩＤを含む、段階を備える。先述の技術的解決手段によれば、端末デバイスは、ネットワーク側デバイスによって示されたグラントフリーリソースの種類に基づいて、対応するデータメッセージを送信し得る。
【００１１】
第１の態様、第１の態様の第１の可能な実装形態、または第１の態様の第２の可能な実装形態を参照すると、第１の態様の第４の可能な実装形態において、ターゲットグラントフリーリソースが専用グラントフリーリソースであるとき、方法はさらに、端末デバイスが、第１ネットワーク側デバイスによって送信されるターゲットグラントフリーリソースの有効範囲を受信する段階と、端末デバイスが、ターゲットグラントフリーリソースの有効範囲を超過しているかどうか判定する段階と、ターゲットグラントフリーリソースの有効範囲を超過していない場合、専用グラントフリーリソースを用いることによって第２データ情報を第１ネットワーク側デバイスに送信する段階であって、ここで、第２データ情報は、端末デバイスによって送信されるデータを含む段階、または、ターゲットグラントフリーリソースの有効範囲を超過している場合、汎用グラントフリーリソースを用いることによって第３データ情報を第１ネットワーク側デバイスに送信する段階であって、ここで、第３データ情報は端末デバイスによって送信されるデータ、および第１識別子ＩＤを含む、段階と、を備える。先述の技術的解決手段によれば、端末デバイスは、ネットワーク側デバイスによって示されたグラントフリーリソースの種類に基づいて対応するデータメッセージを送信し得る。
【００１２】
第１の態様の第３の可能な実装形態または第１の態様の第４の可能な実装形態を参照すると、第１の態様の第５の可能な実装形態は、端末デバイスが汎用グラントフリーリソースを用いることによって第２データ情報を第１ネットワーク側デバイスに送信する段階の前に、方法はさらに、端末デバイスが、端末デバイスが第１エリアに位置する旨を決定する段階を含む。先述の技術的解決手段によれば、端末デバイスが第１エリアに位置する旨を決定した場合、端末デバイスは、ネットワーク側デバイスおよびターゲットグラントフリーリソースによって割り当てられたＩＤを用いることによって端末デバイスがネットワーク側デバイスと通信し得る旨を決定する。
【００１３】
第１の態様の第１の態様または先述の可能な実装形態のうちのいずれか１つを参照すると、第１の態様の第６の可能な実装形態において、端末デバイスが端末デバイスのモビリティ情報を第１ネットワーク側デバイスに示す段階の前に、方法はさらに、端末デバイスが、第２エリアから第１エリアへ移動する旨を決定する段階をさらに含み、ここで、第２ネットワーク側デバイスが第２エリアにおいてサービスを提供する。先述の技術的解決手段によれば、端末デバイスが移動した旨を決定した場合、端末デバイスは、ネットワーク側デバイスによって割り当てられたＩＤおよびターゲットグラントフリーリソースを再取得する必要がある。
【００１４】
第２の態様によれば、本願の実施形態はデータ伝送方法を提供する。方法は、ネットワーク側デバイスが、第１識別子ＩＤを端末デバイスに割り当てる段階であって、ここで、端末デバイスは第１エリアに位置し、第１エリアはネットワーク側デバイスがサービスを提供するエリアであり、第１識別子ＩＤは第１エリアにおいて有効である、段階と、ネットワーク側デバイスが、端末デバイスのモビリティ情報を取得する段階と、ネットワーク側デバイスが、モビリティ情報に基づいてターゲットグラントフリーリソースを判定する段階であって、ここで、ターゲットグラントフリーリソースは専用グラントフリーリソースまたは汎用グラントフリーリソースであり、汎用グラントフリーリソースを用いることによってネットワーク側デバイスによって受信されたデータ情報は、データおよびデータを送信する端末デバイスのＩＤを含み、専用グラントフリーリソースを用いることによって端末デバイスによって受信されたデータ情報は、データを含む、段階と、ネットワーク側デバイスが、ターゲットグラントフリーリソースを端末デバイスに示す段階と、を備える。先述の技術的解決手段によれば、ネットワーク側デバイスは、対応するグラントフリーリソースを端末デバイスのモビリティ情報に基づいて端末デバイスに割り当て得る。
【００１５】
第２の態様を参照すると、第２の態様の第１の可能な実装形態において、ネットワーク側デバイスがモビリティ情報に基づいてターゲットグラントフリーリソースを判定する段階は、端末デバイスの位置が固定されているとき、ネットワーク側デバイスが、ターゲットグラントフリーリソースが専用グラントフリーリソースである旨を決定する段階、または、端末デバイスの位置が固定されていないとき、ネットワーク側デバイスが、ターゲットグラントフリーリソースが汎用グラントフリーリソースである旨を決定する段階を含む。先述の技術的解決手段によれば、固定された位置にある端末デバイスがネットワーク側デバイスにデータメッセージを送信するとき、いかなるＩＤも保持する必要がないことが保証され得、それによって、データメッセージのサイズを低減する。
【００１６】
第２の態様を参照すると、第２の態様の第２の可能な実装形態において、ネットワーク側デバイスがモビリティ情報に基づいてターゲットグラントフリーリソースを判定する段階は、端末デバイスの位置が固定されているか、端末デバイスの位置変化が指定範囲内であるとき、ネットワーク側デバイスが、ターゲットグラントフリーリソースが専用グラントフリーリソースである旨を決定する段階、または、端末デバイスの位置変化が指定範囲を超過するとき、ネットワーク側デバイスが、ターゲットグラントフリーリソースが汎用グラントフリーリソースである旨を決定する、段階を含む。先述の技術的解決手段によれば、比較的固定された位置にある端末デバイスがデータメッセージをネットワーク側デバイスに送信するとき、いかなるＩＤも保持する必要がないことが保証され得、それによって、データメッセージのサイズを低減する。
【００１７】
第２の態様の第１の可能な実装形態または第２の態様の第２の可能な実装形態を参照すると、第２の態様の第３の可能な実装形態において、ネットワーク側デバイスによって判定されたターゲットグラントフリーリソースが専用グラントフリーリソースであるとき、方法はさらに、ネットワーク側デバイスが、専用グラントフリーリソースの有効範囲を判定する段階と、ネットワーク側デバイスが、有効範囲を端末デバイスに送信する段階とを備える。先述の技術的解決手段によれば、有効範囲が専用グラントフリーリソースに割り当てられ得、それによって、端末デバイスによって用いられる専用グラントフリーリソースを効果的に制御する。
【００１８】
第２の態様または第２の態様の先述の可能な実装形態のうちのいずれか１つを参照すると、第２の態様の第４の可能な実装形態は、ネットワーク側デバイスによって判定されたターゲットグラントフリーリソースが専用グラントフリーリソースであるとき、方法はさらに、ネットワーク側デバイスが、専用グラントフリーリソースを用いることによって第１データメッセージを受信する段階と、ネットワーク側デバイスが、第１データメッセージによって保持されるデータが端末デバイスによって送信される旨を決定する段階とを含む。先述の技術的解決手段によれば、専用グラントフリーリソース上のネットワーク側デバイスによって受信されたデータメッセージは、端末デバイスに割り当てられたＩＤを含まず、それによって、データメッセージのサイズを低減する。
【００１９】
第２の態様、または第２の態様の第１の可能な実装形態から第２の態様の第３の可能な実装形態のうちのいずれか１つを参照すると、第２の態様の第５の可能な実装形態において、方法はさらに、ネットワーク側デバイスが、汎用グラントフリーリソースを用いることによって第２データメッセージを受信する段階と、ネットワーク側デバイスが、第２データメッセージによって保持されるＩＤが第１識別子ＩＤである旨を決定する段階と、ネットワーク側デバイスが、第２データメッセージによって保持されたデータが端末デバイスによって送信される旨を決定する段階とを含む。先述の技術的解決手段によれば、ネットワーク側デバイスは汎用グラントフリーリソース上で、端末デバイスによって送信されたデータメッセージを受信し得、すべてのグラントフリーリソースが端末デバイスによって用いるように特定されたグラントフリーリソースとなったためグラントフリーリソースの使い切りをもたらすという、ケースを回避する。
【００２０】
第２の態様または第２の態様の先述の可能な実装形態のうちのいずれか１つを参照すると、第２の態様の第６の可能な実装形態において、ネットワーク側デバイスが端末デバイスのモビリティ情報を取得する段階は、ネットワーク側デバイスが、端末デバイスによって送信されたモビリティ情報を受信する段階、または、ネットワーク側デバイスが、モビリティ情報を判定する段階を含む。先述の技術的解決手段に基づいて、ネットワーク側デバイスは、端末デバイスによって送信されたモビリティ情報を取得し得、または、ネットワーク側デバイスは、任意に、モビリティ情報を判定し、端末デバイスに割り当てられるターゲットグラントフリーリソースの種類を、モビリティ情報に基づいて判定する。
【００２１】
第２の態様の第６の可能な実装形態を参照すると、第２の態様の第７の可能な実装形態において、ネットワーク側デバイスがモビリティ情報を判定する段階は、ネットワーク側デバイスが、汎用グラントフリーリソースを用いることによって第３データメッセージを受信する段階であって、ここで、第３データメッセージは第１識別子ＩＤを保持する、段階と、ネットワーク側デバイスが、第３データメッセージに基づいてモビリティ情報を判定する段階とを含む。先述の技術的解決手段によれば、ネットワーク側デバイスは、端末デバイスによって送信されたデータメッセージを用いることによって端末デバイスのモビリティ情報を判定し得、モビリティ情報に基づいて、端末デバイスに割り当てられるターゲットグラントフリーリソースの種類を判定する。
【００２２】
第３の態様によれば、本願の実施形態は端末デバイスを提供する。ネットワーク側デバイスは、第１の態様または第１の態様の可能な実装形態を実行するように構成されたユニットを含む。
【００２３】
第４の態様によれば、本願の実施形態はネットワーク側デバイスを提供する。端末デバイスは、第２の態様または第２の態様の可能な実装形態を実行するように構成されたユニットを含む。
【００２４】
第５の態様によれば、本願の実施形態は端末デバイスを提供する。端末デバイスは、プロセッサ、メモリ、および送受信機を含む。メモリは、第１の態様および第１の態様の可能な実装形態のうちのいずれか１つに記載の方法を実装する命令を格納するように構成される。プロセッサは、通信インタフェースと組み合わせて、第１の態様または第１の態様の可能な実装形態のうちのいずれか１つに記載の方法を実装するように、メモリに格納された命令を実行する。
【００２５】
第６の態様によれば、本願の実施形態はネットワーク側デバイスを提供する。ネットワーク側デバイスは、プロセッサ、メモリ、および送受信機を含む。メモリは、第２の態様および第２の態様の可能な実装形態のうちのいずれか１つに記載の方法を実装する命令を格納するように構成される。プロセッサは、通信インタフェースと組み合わせて、第２の態様または第２の態様の可能な実装形態のうちのいずれか１つに記載の方法を実装するように、メモリに格納された命令を実行する。
【図面の簡単な説明】
【００２６】
【図１】端末デバイスおよびネットワーク側デバイスの概略図である。
【００２７】
【図２】本願の実施形態によるデータ送信方法の概略フローチャートである。
【００２８】
【図３】本願の実施形態によるデータ送信方法の概略フローチャートである。
【００２９】
【図４】本願の実施形態によるデータ送信方法の概略フローチャートである。
【００３０】
【図５】本願の実施形態による端末デバイスの構造ブロック図である。
【００３１】
【図６】本願の実施形態によるネットワーク側デバイスの構造ブロック図である。
【００３２】
【図７】本願の実施形態による端末デバイスの構造ブロック図である。
【００３３】
【図８】本願の実施形態によるネットワーク側デバイスの構造ブロック図である。
【発明を実施するための形態】
【００３４】
以下に、添付の図面を参照して、本願の実施形態の技術的解決方法を説明する。
【００３５】
本願の実施形態における技術的解決方法で言及される端末デバイスは、また、アクセス端末、ユーザ機器（Ｕｓｅｒ  Ｅｑｕｉｐｍｅｎｔ、ＵＥ）、加入者ユニット、加入者局、モバイル局、モバイルコンソール、リモート局、リモート端末、モバイルデバイス、ユーザ端末、端末、無線通信デバイス、ユーザエージェント、ユーザ装置、無線通信機能を有するハンドヘルドデバイス、計算デバイス、無線モデムに接続された別のプロセスデバイス、車載デバイス、ウェアラブルデバイス、または、今後の５Ｇネットワークにおける端末デバイスとも称され得る。
【００３６】
ネットワーク側デバイスは、ＬＴＥシステムにおける発展型Ｎｏｄｅ  Ｂ（Ｅｖｏｌｕｔｉｏｎａｌ  Ｎｏｄｅ  Ｂ、ｅＮＢ）、今後の５Ｇネットワークにおける基地局デバイス、送受信ポイントＴＲＰ（Ｔｒａｎｓｍｉｓｓｉｏｎ  ａｎｄ  Ｒｅｃｅｐｔｉｏｎ  Ｐｏｉｎｔ）、または同様なものであり得る。
【００３７】
本願の実施形態で言及されるグラントフリーリソースは、基準信号（Ｒｅｆｅｒｅｎｃｅ  Ｓｉｇｎａｌ、ＲＳ）であり得、または、プリアンブル（Ｐｒｅａｍｂｌｅ）であり得る。
【００３８】
本願の実施形態で言及されるネットワーク側デバイスのサービス範囲と、ネットワーク側デバイスがサービスを提供するエリアは、通知エリア（Ｎｏｔｉｆｉｃａｔｉｏｎ  Ａｒｅａ）である。通知エリアは１または複数のセルであり得る。
【００３９】
本願の実施形態で言及されるデータは、少量データまたは一般的なデータであり得る。少量データとは、端末またはネットワークによって伝送されるデータのサイズが閾値、例えば１００バイトより少ないことを意味し、少量データは、１つのパケットであり得、または、複数のパケットの合計の長さが予め定められた閾値より少ない。
【００４０】
図１は端末デバイスおよびネットワーク側デバイスの概略図である。図１に示されるように、ネットワーク側デバイス１１０がサービスを提供するエリアに、端末デバイス１２０がある。
【００４１】
本願の実施形態は、図１を参照して以下に説明される。
【００４２】
図２は、本願の実施形態によるデータ送信方法の概略フローチャートである。
【００４３】
２０１：ネットワーク側デバイス１１０は、端末デバイス１２０に割り当てられるＩＤを、端末デバイス１２０に送信する。
【００４４】
より具体的には、ネットワーク側デバイス１１０のサービス範囲内に複数の端末デバイスがある場合、ネットワーク側デバイス１１０によって複数の各端末デバイスに割り当てられたＩＤは一意的なものである。言い換えれば、複数の端末デバイスのうちいずれの２つも、異なるＩＤを有する。
【００４５】
２０２：端末デバイス１２０は端末デバイス１２０のモビリティ属性を取得し、端末デバイス１２０のモビリティ属性に基づいて端末デバイス１２０のモビリティ情報を判定する。
【００４６】
端末デバイスのモビリティ属性は、端末デバイスが固定端末デバイスであるか移動可能端末デバイスであるかを示す。固定端末デバイスは、位置に静止している端末デバイスである。例えば、大容量マシンタイプ通信（ｍａｓｓｉｖｅ  Ｍａｃｈｉｎｅ  Ｔｙｐｅ  Ｃｏｍｍｕｎｉｃａｔｉｏｎ、ｍＭＴＣ）シナリオにおいて、いくつかの端末デバイスは、いくつかの特定の位置に固定されて取り付けられた端末デバイスである。端末デバイスは固定端末デバイスである。移動可能端末デバイスは、移動され得る端末デバイスであり、例えば、モバイル電話である。
【００４７】
任意で、いくつかの実施形態において、端末デバイスのモビリティ属性は端末デバイスの固有の属性として用いられ得、端末デバイス１２０に格納またはプリセットされ得る。このやり方で、端末デバイス１２０は、端末デバイス１２０のモビリティ属性を直接取得し得る。
【００４８】
任意で、いくつかの他の実施形態において、端末デバイス１２０は、モビリティ属性に関連する情報を用いることによって、端末デバイス１２０の属性情報を判定し得る。モビリティ属性に関連する情報は、端末デバイスのサービスタイプであり得る。例えば、端末デバイス１２０のサービスタイプが、固定された位置で完了するサービス、例えば、メータ読み取りサービスまたは環境モニタリングサービスを示す場合、端末デバイス１２０のモビリティ属性は固定端末デバイスを示す旨が決定され得る。端末デバイス１２０のサービスタイプが、固定されない位置で完了するサービス、例えば、インテリジェントパーキングまたはインテリジェントトラッキングを示す場合、端末デバイス１２０のモビリティ属性は移動可能端末デバイスを示す旨が決定され得る。
【００４９】
任意で、いくつかの実施形態において、端末デバイス１２０が固定端末デバイスである場合、端末デバイス１２０によって判定される端末デバイス１２０のモビリティ情報は、端末デバイス１２０が固定端末デバイスである旨を示すように用いられる。端末デバイス１２０が移動可能端末である場合、端末デバイス１２０によって判定された端末デバイス１０２のモビリティ情報は、端末デバイス１２０が移動可能端末である旨を示すように用いられる。
【００５０】
任意で、いくつかの他の実施形態において、端末デバイス１２０が固定端末デバイスである場合、端末デバイス１２０によって判定された端末デバイス１２０のモビリティ情報は、専用グラントフリーリソースを端末デバイス１２０に割り当てるようにネットワーク側デバイス１１０に命令するように用いられ得る。端末デバイス１２０が移動可能端末である場合、端末デバイス１２０によって判定された端末デバイス１２０のモビリティ情報は、ネットワーク側デバイス１１０が専用グラントフリーリソースを端末デバイス１２０に割り当てる必要がない旨を示すように用いられ得る。
【００５１】
任意で、いくつかの他の実施形態において、端末デバイス１２０によって判定された端末デバイス１２０のモビリティ情報は、モビリティ属性に関連する情報であり得る。このやり方で、ネットワーク側デバイス１１０は、モビリティ属性に関連する情報に基づいて、端末デバイス１２０のモビリティ属性を判定し得、専用グラントフリーリソースを端末デバイス１２０に割り当てるかどうかを判定し得る。
【００５２】
２０３：端末デバイス１２０は端末デバイス１２０のモビリティ情報をネットワーク側デバイス１１０に送信する。
【００５３】
２０４：ネットワーク側デバイス１１０は、端末デバイス１２０のモビリティ情報に基づいて、端末デバイス１２０によって用いられるターゲットグラントフリーリソースを判定し、そのターゲットグラントフリーリソースを端末デバイス１２０に示す。
【００５４】
２０５：端末デバイス１２０は、ターゲットグラントフリーリソースを用いることによってネットワーク側デバイス１１０と通信する。
【００５５】
任意で、いくつかの実施形態において、端末デバイス１２０のモビリティ情報は、端末デバイス１２０が固定端末デバイスである旨を示すように用いられる場合、ネットワーク側デバイス１１０は、複数のグラントフリーリソースのうちの１つのグラントフリーリソースを端末デバイス１２０のための専用グラントフリーリソースとして判定し得、ターゲットグラントフリーリソースとして判定された専用グラントフリーリソースを端末デバイス１２０に示す。端末デバイス１２０のモビリティ情報が、端末デバイス１２０が移動可能端末であることを示すように用いられる場合、ネットワーク側デバイス１１０は、ターゲットグラントフリーリソースが汎用グラントフリーリソースである旨を決定し得、汎用グラントフリーリソースを端末デバイス１２０に示し得る。
【００５６】
任意で、いくつかの他の実施形態において、端末デバイス１２０のモビリティ情報が、専用グラントフリーリソースを端末デバイス１２０に割り当てるようにネットワーク側デバイス１１０に命令するように用いられる場合、ネットワーク側デバイス１１０は、複数のグラントフリーリソースのうちの１つのグラントフリーリソースを端末デバイス１２０のための専用グラントフリーリソースとして判定し得、ターゲットグラントフリーリソースとして判定された専用グラントフリーリソースを端末デバイス１２０に示す。端末デバイス１２０のモビリティ情報が、ネットワーク側デバイス１１０が専用グラントフリーリソースを端末デバイス１２０に割り当てる必要がない旨を示すように用いられる場合、ネットワーク側デバイス１１０はターゲットグラントフリーリソースが汎用グラントフリーリソースであると判定し得、汎用グラントフリーリソースを端末デバイス１２０に示し得る。
【００５７】
任意で、いくつかの他の実施形態において、端末デバイス１２０のモビリティ情報はモビリティ属性に関連する情報であり得、ネットワーク側デバイス１１０は、モビリティ属性に関連する情報に基づいて、端末デバイス１２０のモビリティ属性を判定し得る。ネットワーク側デバイス１１０が、端末デバイス１２０のモビリティ属性が固定端末デバイスを示す旨を決定した場合、ネットワーク側デバイス１１０は複数のグラントフリーリソースのうちの１つのグラントフリーリソースを端末デバイス１２０のための専用グラントフリーリソースとして判定し得、ターゲットグラントフリーリソースとして判定された専用グラントフリーリソースを端末デバイス１２０に示す。ネットワーク側デバイス１１０が、端末デバイス１２０のモビリティ属性が移動可能端末を示す旨を決定した場合、ネットワーク側デバイス１１０は、ターゲットグラントフリーリソースが汎用グラントフリーリソースである旨を決定し得、汎用グラントフリーリソースを端末デバイス１２０に示す。
【００５８】
複数の態様において、ネットワーク側デバイス１１０は、ターゲットグラントフリーリソースを示し得る。
【００５９】
任意で、一実施形態において、ネットワーク側デバイス１１０はグラントフリーリソースをリソースプールへと分割し得、各リソースプールは複数のグラントフリーリソースを含む。２つのリソースプールのうちの１つに含まれるグラントフリーリソースはすべて、端末デバイスによって任意に選択され得るグラントフリーリソースであり（説明を簡単にするために、このリソースプールは以下で汎用グラントフリーリソースプールと称される）、他のリソースプールに含まれるグラントフリーリソースは、特定の端末デバイスに割り当てられ得るグラントフリーリソースである（説明を簡単にするために、このリソースプールは以下で専用グラントフリーリソースプールと称される）。
【００６０】
任意で、一実施形態において、ネットワーク側デバイス１１０は、汎用グラントフリーリソースプールに含まれる複数のグラントフリーリソースの具体的なリソース情報を、前もって端末デバイスに示し得る。グラントフリーリソースの具体的なリソース情報は、グラントフリーリソースの時間−周波数リソース、時間−周波数リソースの送信間隔、各時間−周波数リソース上の、対応するおよび利用可能な直交シーケンス（ＤＭＲＳなど）のセット、および同様のものを含み得る。例えば、ネットワーク側デバイス１１０は、端末デバイス１２０への接続を確立したとき、または段階２０５の前に、汎用グラントフリーリソースプールに含まれる複数のグラントフリーリソースの具体的なリソース情報を、端末デバイスに示し得る。このやり方で、ターゲットグラントフリーリソースが汎用グラントフリーリソースである場合、ターゲットグラントフリーリソースを示すときに、ネットワーク側デバイス１１０は、汎用グラントフリーリソースプールにおけるグラントフリーリソースを用いるように、端末デバイス１２０に命令し得る。端末デバイス１２０は、汎用グラントフリーリソースプールに含まれる複数のグラントフリーリソースから、端末デバイス１２０がネットワーク側デバイス１１０にデータメッセージを送信するときに用いられるグラントフリーリソースを選択し得る。ターゲットグラントフリーリソースが、ネットワーク側デバイス１１０によって端末デバイス１２０に割り当てられた専用グラントフリーリソースである場合、ネットワーク側デバイス１１０は、端末デバイス１２０に割り当てられた専用グラントフリーリソースの具体的なリソース情報を示し得る。端末デバイス１２０は、ネットワーク側デバイス１１０によって割り当てられた専用グラントフリーリソースを用いることによって、ネットワーク側デバイス１１０にデータメッセージを送信し得る。
【００６１】
任意で、別の実施形態において、ネットワーク側デバイス１１０は、汎用グラントフリーリソースプールに含まれる複数のグラントフリーリソースの具体的なリソース情報と、専用グラントフリーリソースプールに含まれる複数のグラントフリーリソースの具体的なリソース情報とを、前もって端末デバイスに示し得る。例えば、ネットワーク側デバイス１１０は、複数の汎用グラントフリーリソースの具体的なリソース情報と、専用グラントフリーリソースプールに含まれる複数のグラントフリーリソースの具体的なリソース情報とを、端末デバイス１２０への接続を確立するときに、または段階２０５の前に、端末デバイスに示し得る。このやり方で、ターゲットグラントフリーリソースが汎用グラントフリーリソースである場合、ターゲットグラントフリーリソースを示すときに、ネットワーク側デバイス１１０は汎用グラントフリーリソースプールのリソースを用いるように、端末デバイス１２０に命令し得る。端末デバイス１２０は、汎用グラントフリーリソースプールに含まれる複数のグラントフリーリソースから、端末デバイス１２０がネットワーク側デバイス１１０にデータメッセージを送信するときに用いられるグラントフリーリソースを選択し得る。専用グラントフリーリソースプールにおける各グラントフリーリソースは、対応するインデックスを有し得る。ターゲットグラントフリーリソースがネットワーク側デバイス１１０によって端末デバイス１２０に割り当てられた専用グラントフリーリソースである場合、ネットワーク側デバイス１１０は、割り当てられた専用グラントフリーリソースに対応するインデックスを端末デバイス１２０に示し得る。端末デバイス１２０は、インデックスに基づいて、ネットワーク側デバイス１１０によって割り当てられた専用グラントフリーリソースを判定し得、ネットワーク側デバイス１１０によって割り当てられた専用グラントフリーリソースを用いることによって、ネットワーク側デバイス１１０にデータメッセージを送信し得る。
【００６２】
任意で、一実施形態において、端末デバイス１２０は、１または複数のグラントフリーリソースの具体的なリソース情報を格納し得るか、プリセットし得る。格納またはプリセットされたグラントフリーリソースは、汎用グラントフリーリソースである。
【００６３】
任意で、一実施形態において、ネットワーク側デバイス１１０は、特定の端末デバイスに割り当てられ得るグラントフリーリソースの時間−周波数リソースと、端末デバイスによって選択され得るグラントフリーリソースの時間−周波数リソースとの間の区別をしなくてよい。ネットワーク側デバイス１１０は、すべてのグラントフリーリソースの時間−周波数リソース、時間−周波数リソースの送信間隔、時間−周波数リソース上の、１つの対応するおよび利用可能な直交シーケンスのグループ、および同様のものを、前もって端末デバイスに示し得る。例えば、ネットワーク側デバイス１１０は、端末デバイス１２０への接続を確立したとき、または段階２０５の前に、すべてのグラントフリーリソースの時間−周波数リソースを端末デバイスに示し得る。加えて、ネットワーク側デバイス１１０は、時間−周波数リソース上の対応するおよび利用可能な直交シーケンスを、２つのグループへと分割し得、一方の直交シーケンスのグループは、汎用グラントフリーリソースのために利用可能な直交シーケンスであり、他方の直交シーケンスのグループは、専用グラントフリーリソースのために確保された直交シーケンスである。ネットワーク側デバイス１１０は、端末デバイス１２０への接続を確立したとき、または段階２０５の前に、汎用グラントフリーリソースのために利用可能な直交シーケンスを、端末デバイスに予め送信し得る。ネットワーク側デバイス１１０は、専用グラントフリーリソースのために確保された直交シーケンスを、端末デバイスに送信しない。ネットワーク側デバイス１１０が、特定のグラントフリーリソースを１または複数の特定の端末デバイスに割り当てる必要があるとき、ネットワークデバイス１１０は、確保された直交シーケンスのうちの１つを選択し得、グラントフリー時間周波数リソースまたは時間−周波数リソースインデックスを選択して端末デバイス１２０を示し得る。端末デバイス１２０は、割り当てられたシーケンスを用いることによって、特定されたグラントフリー時間周波数リソース上での伝送を実行する。専用グラントフリー時間周波数リソースの使用が、汎用グラントフリー時間周波数リソースの使用から区別されない場合、端末デバイス１２０に割り当てられるＩＤは専用グラントフリー伝送において保持される必要がないので、ユーザに関して異なる変調および符号化スキーム（ｍｏｄｕｌａｔｉｏｎ  ａｎｄ  Ｃｏｄｉｎｇ  Ｓｃｈｅｍｅ、ＭＣＳ）が構成され得、ユーザの伝送性能を向上させる。
【００６４】
ターゲットグラントフリーリソースが専用グラントフリーリソースである場合、端末デバイス１２０は専用グラントフリーリソースを用いることによって、データメッセージをネットワーク側デバイス１１０に送信し、端末デバイス１２０によってネットワーク側デバイス１１０に送信されるデータメッセージは、端末デバイス１２０によって送信されるデータを含む。端末デバイスによってネットワーク側デバイス１１０に送信されるデータメッセージは、ネットワーク側デバイス１１０によって端末デバイス１２０に割り当てられるＩＤを含む必要がない。このやり方で、端末デバイス１１０が専用グラントフリーリソース上でデータメッセージを受信する場合、端末デバイス１１０は、データメッセージの伝送端が端末デバイス１２０である旨を決定し得る。
【００６５】
ターゲットグラントフリーリソースが汎用グラントフリーリソースである場合、端末デバイス１２０は、汎用グラントフリーリソースを用いることによってネットワーク側デバイス１１０にデータメッセージを送信し、端末デバイス１２０によってネットワーク側デバイス１１０に送信されるデータメッセージは、端末デバイス１２０によって送信されるデータと、ネットワーク側デバイス１１０によって端末デバイス１２０に割り当てられるＩＤとを含む。このやり方で、汎用グラントフリーリソース上でデータメッセージを受信した後に、端末デバイス１１０は、データメッセージによって保持されるＩＤに基づいて、データメッセージの伝送端が端末デバイス１２０である旨を決定する。
【００６６】
本願の実施形態において言及されたデータメッセージは、また、データパケット、パケット、データ、または同様のものと称され得る。説明を簡単にするために、専用グラントフリーリソースを用いて、端末デバイスに割り当てられたＩＤを保持しないことによって送信されたデータ情報は、以下で第１のデータと称され、汎用グラントフリーリソースを用いて、端末デバイスに割り当てられたＩＤを保持することによって送信されたデータ情報は、以下で第２のデータと称される。
【００６７】
図２に示された実施形態における段階の数は、図２に示された実施形態を好適に説明することを単に意図したものであり、図２に示された実施形態における段階の次数を限定するものではない。
【００６８】
端末デバイス１２０がターゲットグラントフリーリソースを用いることによってデータメッセージをネットワーク側デバイス１１０に送信する前に、端末デバイス１２０がネットワーク側デバイス１１０への接続を確立する必要があることは、理解されよう。段階２０１、段階２０３、および段階２０４は、接続確立プロセスにおいてすべて実行され得る。当然ながら、段階２０１、段階２０３、および段階２０４の１つまたはすべては、接続が完全に確立された後にもまた実行され得る。
【００６９】
段階２０３が、接続が完全に確立された後に実行された場合、端末デバイス１２０は端末デバイス１２０のモビリティ情報を、汎用グラントフリーリソースを用いることによってネットワーク側デバイス１１０にまず送信し得る。
【００７０】
図２に示された技術的解決手段によれば、ネットワーク側デバイスは、端末デバイスが固定されているかどうかに応じて、対応するグラントフリーリソースを端末デバイスに割り当て得る。図２に示された技術的解決手段によれば、端末デバイスが固定された位置でデータメッセージをネットワーク側デバイスに送信するとき、いかなるＩＤも保持する必要がないことが保証され得、それによって、データメッセージのサイズを低減する。加えて、図２に示された技術的解決手段によれば、グラントフリーリソースが使い切りとなって、いくつかの端末デバイスがグラントフリーリソースを用いることによってデータメッセージをネットワーク側デバイスに送信することができなくなるケースが回避されることが、さらに保証され得る。
【００７１】
任意で、いくつかの実施形態においては、ターゲットグラントフリーリソースが専用グラントフリーリソースである場合、ネットワーク側デバイス１１０はさらに、ターゲットグラントフリーリソースの有効範囲を端末デバイス１２０に送信し得る。有効範囲は、専用グラントフリーリソースの有効時間であり得る。この場合、端末デバイス１２０は有効範囲を超過したかどうかを判定し得、有効範囲を超過していない場合、専用グラントフリーリソースを用いることによって第１のデータをネットワーク側デバイス１１０に送信し得る。有効範囲を超過した場合、汎用グラントフリーリソースを用いることによって第２のデータをネットワーク側デバイス１１０に送信し得る。
【００７２】
さらに、いくつかの実施形態においては、端末デバイス１２０が、ネットワーク側デバイス１１０のサービス範囲から別のネットワーク側デバイスのサービス範囲への移動を判定した場合、端末１２０は、別のネットワーク側デバイスによって端末デバイス１２０に割り当てられたＩＤを再取得して、別のネットワーク側デバイスによって示されたターゲットグラントフリーリソースを取得する必要がある。加えて、ネットワーク側デバイス１１０のサービス範囲から別のネットワーク側デバイスのサービス範囲への移動を判定した後で、別のネットワーク側デバイスによって端末デバイス１２０に割り当てられたＩＤを取得する前に、端末デバイス１２０は、ネットワーク側デバイス１１０によって端末デバイス１２０に割り当てられたＩＤを用いることによって別のネットワーク側デバイスと通信しない。端末１２０が別のネットワーク側デバイスによって端末デバイス１２０に割り当てられたＩＤを再取得して、別のネットワーク側デバイスによって示されたターゲットグラントフリーリソースを取得する必要がある具体的なプロセスは、図２に示されたプロセスと同一である。本明細書では詳細を改めて説明する必要はない。
【００７３】
任意で、いくつかの実施形態においては、端末デバイス１２０が固定端末デバイスであると仮定すると、端末デバイス１２０の位置が変わった場合、データ伝送のためのグラントフリーリソースが再構成される必要がある。言い換えれば、図２に示された段階が、改めて実行される必要がある。
【００７４】
図３は、本願の実施形態によるデータ送信方法の概略フローチャートである。
【００７５】
３０１：ネットワーク側デバイス１１０は、端末デバイス１２０に割り当てられたＩＤを、端末デバイス１２０に送信する。
【００７６】
３０２：端末デバイス１２０は、端末デバイス１２０の位置情報を取得し、端末デバイス１２０の位置情報に基づいて端末デバイス１２０のモビリティ情報を判定する。
【００７７】
３０３：端末デバイス１２０は、端末デバイス１２０のモビリティ情報をネットワーク側デバイス１１０に送信し得る。
【００７８】
端末デバイスの位置情報は、端末デバイスの地理的情報であり得、または、端末デバイスの位置情報は、端末の位置および／または位置変化を反映し得る情報、例えば、端末デバイスが位置するセルのＩＤ、または、端末デバイスが位置するセルの基準信号であり得る。
【００７９】
任意で、いくつかの実施形態においては、端末デバイス１２０は、位置情報に基づいて端末デバイスのモビリティ属性を判定し得、端末デバイス１２０によってネットワーク側デバイス１１０に送信されるモビリティ情報は、端末デバイス１２０のモビリティ属性を示すように用いられる。より具体的には、端末デバイス１２０が、位置情報に基づいて、端末デバイス１２０の位置が固定されているか、または端末デバイス１２０の位置変化が指定範囲内である旨を決定した場合、端末デバイス１２０は、端末デバイス１２０のモビリティ属性が固定端末デバイスを示す旨を決定し得る。端末デバイス１２０が、位置情報に基づいて、端末デバイス１２０の位置変化が指定範囲を超過する旨を決定した場合、端末デバイス１２０は、端末デバイス１２０のモビリティ属性が移動可能端末デバイスを示す旨を決定し得る。端末デバイス１２０が、端末デバイス１２０が固定端末デバイスである旨を決定した場合、端末デバイス１２０によってネットワーク側デバイス１１０に送信されるモビリティ情報は、端末デバイス１２０が固定端末デバイスである旨を示すように用いられる。端末デバイス１２０が、端末デバイス１２０が移動可能端末デバイスである旨を決定した場合、端末デバイス１２０によってネットワーク側デバイス１１０に送信されるモビリティ情報は、端末デバイス１２０が移動可能端末デバイスである旨を示すように用いられる。
【００８０】
例えば、位置情報は地理的位置であり得る。端末デバイス１２０は、衛星測位技術または別の測位技術を用いることによって、端末デバイス１２０の地理的位置を判定し得る。端末デバイス１２０は、期間内に複数回、端末デバイス１２０の地理的位置を判定し得る。複数回判定された地理的位置が変化しないままである場合、または地理的位置の変化範囲がプリセットされた変化範囲内である場合、端末デバイス１２０は、端末デバイス１２０のモビリティ属性が固定端末デバイスを示す旨を決定し得る。端末デバイス１２０の地理的位置が変化し、変化範囲がプリセットされた変化範囲を超過した場合、端末デバイス１２０は、端末デバイス１２０のモビリティ属性が移動可能端末デバイスを示す旨を決定し得る。
【００８１】
別の例に関して、位置情報は、端末デバイスが位置するセルのＩＤであり得る。端末デバイス１２０は、端末デバイス１２０が位置するセルのＩＤが期間内に変化するかどうか判定し得る。端末デバイス１２０が位置するセルのＩＤが変化しないか、変化範囲が特定の範囲内である旨を、端末デバイス１２０が決定した場合、端末デバイス１２０は、端末デバイス１２０が固定端末デバイスであるとみなし得る。端末デバイス１２０が位置するセルのＩＤの変化範囲が特定の範囲を超過する旨を、端末デバイス１２０が決定した場合、端末デバイス１２０は、端末デバイス１２０が固定されていない端末である旨を決定し得る。
【００８２】
同様に、端末デバイス１２０はまた、端末デバイスの位置、および／または、端末デバイスの位置変化を反映し得るいくつかの他の情報、例えば、端末デバイス１２０の移動速度、または、端末デバイス１２０が位置するセルの基準信号に基づいて、端末デバイスのモビリティ属性を判定し得る。冗長性を回避するために、例を本明細書では１つ１つ列挙しない。
【００８３】
任意で、いくつかの実施形態において、端末デバイス１２０は、取得された位置情報に基づいてモビリティ情報を判定し得る。モビリティ情報は、端末デバイス１２０によって取得される位置情報を含む。この場合、ネットワーク側デバイス１１０は、モビリティ情報に含まれる端末デバイス１２０の位置情報に基づいて端末デバイス１２０のモビリティ属性を判定し得る。ネットワーク側デバイス１１０が端末デバイス１２０の位置情報に基づいて端末デバイス１２０のモビリティ属性を判定する具体的な実装は、端末デバイス１２０が端末デバイス１２０の位置情報に基づいて端末デバイス１２０のモビリティ属性を任意に判定する具体的な実装と、同一である。本明細書では詳細を改めて説明する必要はない。
【００８４】
３０４：ネットワーク側デバイス１１０は、端末デバイス１２０のモビリティ情報に基づいて、端末デバイス１２０によって用いられるターゲットグラントフリーリソースを判定し、そのターゲットグラントフリーリソースを端末デバイス１２０に示す。
【００８５】
３０５：端末デバイス１２０は、ターゲットグラントフリーリソースを用いることによって、ネットワーク側デバイス１１０と通信する。
【００８６】
端末デバイス１２０のモビリティ情報が、端末デバイス１２０が固定端末デバイスである旨を示すように用いられる場合、ネットワーク側デバイス１１０は、複数のグラントフリーリソースのうちの１つのグラントフリーリソースを、端末デバイス１２０のための専用グラントフリーリソースとして判定し得、ターゲットグラントフリーリソースとして判定された専用グラントフリーリソースを、端末デバイス１２０に示す。
【００８７】
端末デバイス１２０のモビリティ情報が、端末デバイス１２０が移動可能端末である旨を示すように用いられる場合、ネットワーク側デバイス１１０は、ターゲットグラントフリーリソースが汎用グラントフリーリソースである旨を決定し、汎用グラントフリーリソースを端末デバイス１２０に示す。
【００８８】
端末デバイス１２０のモビリティ情報が、端末デバイス１２０の位置情報を含む場合、ネットワーク側デバイス１１０は、端末デバイス１２０の位置情報に基づいて、端末デバイス１２０が固定端末デバイスか移動可能端末デバイスかを判定し、判定結果に基づいてターゲットグラントフリーリソースを判定する。
【００８９】
ネットワーク側デバイス１１０が、端末デバイス１２０の位置情報に基づいて、端末デバイス１２０が固定端末デバイスである旨を決定した場合、ネットワーク側デバイス１１０は、複数のグラントフリーリソースのうちの１つのグラントフリーリソースを端末デバイス１２０のための専用グラントフリーリソースとして判定し得、判定された専用グラントフリーリソースをターゲットグラントフリーリソースとして端末デバイス１２０に示し得る。
【００９０】
ネットワーク側デバイス１１０が、端末デバイス１２０の位置情報に基づいて、端末デバイス１２０が移動可能端末デバイスである旨を決定した場合、ネットワーク側デバイス１１０はターゲットグラントフリーリソースが汎用グラントフリーリソースである旨を決定し得、汎用グラントフリーリソースを端末デバイス１２０に示し得る。
【００９１】
ネットワーク側デバイス１１０によって、端末デバイス１２０にターゲットグラントフリーリソースを示す方式と、端末デバイス１２０がターゲットグラントフリーリソースを用いることによってデータ情報をネットワーク側デバイス１１０に送信する具体的なプロセスとは、図２に示される実施形態におけるものと類似する。本明細書では、詳細を改めて説明する必要はない。
【００９２】
図３に示される技術的解決手段によれば、端末デバイスの位置が比較的固定される場合、端末デバイスがデータメッセージをネットワーク側デバイスに送信するときにＩＤを保持する必要はなく、データメッセージのサイズを低減させる。加えて、図３に示された技術的解決手段によれば、グラントフリーリソースが使い切りとなって、いくつかの端末デバイスがグラントフリーリソースを用いることによってデータメッセージをネットワーク側デバイスに送信することができないケースが回避されることが、さらに保証され得る。
【００９３】
任意で、いくつかの実施形態においては、ターゲットグラントフリーリソースが専用グラントフリーリソースであるとき、ネットワーク側デバイス１１０はさらに、ターゲットグラントフリーリソースの有効範囲を端末デバイス１２０に送信し得る。
【００９４】
任意で、いくつかの実施形態においては、有効範囲は、専用グラントフリーリソースの有効時間を含み得る。この場合、端末デバイス１２０は、現在時刻が有効時間を超過したかどうか判定し得、有効時間を超過していない場合、専用グラントフリーリソースを用いることによって第１のデータをネットワーク側デバイス１１０に送信し得、有効時間を超過した場合、汎用グラントフリーリソースを用いることによって第２のデータをネットワーク側デバイス１１０に送信し得る。
【００９５】
任意で、いくつかの他の実施形態において、有効範囲は、専用グラントフリーリソースの有効位置範囲を含み得る。有効位置範囲は、地理的位置の範囲であり得、または１または複数のセル、またはセルの１または複数のセクタであり得る。この場合、端末デバイス１２０は、有効位置範囲を超過したかどうか判定し得、有効位置範囲を超過していない場合、専用グラントフリーリソースを用いることによって第１のデータをネットワーク側デバイス１１０に送信し得、有効位置範囲を超過した場合、汎用グラントフリーリソースを用いることによって第２のデータをネットワーク側デバイス１１０に送信し得る。
【００９６】
当然ながら、いくつかの他の実施形態において、有効範囲は、有効時間と有効位置範囲の両方を含み得る。現在時刻が有効時間を超過したとき、および／または端末デバイス１２０の位置が有効位置範囲を超過したとき、端末デバイス１２０は汎用グラントフリーリソースを用いることによって第２のデータをネットワーク側デバイス１１０に送信する。端末デバイス１２０は、現在時刻が有効時間を超過しないとき、および／または、端末デバイス１２０の位置が有効位置範囲を超過しないときのみ、第１のデータをネットワーク側デバイス１１０に送信するために専用グラントフリーリソースを用い得る。
【００９７】
図３に示された実施形態において、端末デバイス１２０がターゲットグラントフリーリソースを取得する前に、端末デバイス１２０は汎用グラントフリーリソースを用いることによって第２のデータをネットワーク側デバイス１１０に送信し得る。
【００９８】
さらに、いくつかの実施形態においては、端末デバイス１２０がネットワーク側デバイス１１０のサービス範囲から別のネットワーク側デバイスのサービス範囲に移動したと判定したとき、端末１２０は、別のネットワーク側デバイスによって端末デバイス１２０に割り当てられたＩＤを再取得し、別のネットワーク側デバイスによって示されたターゲットグラントフリーリソースを取得する必要がある。加えて、ネットワーク側デバイス１１０のサービス範囲から別のネットワーク側デバイスのサービス範囲に移動したと判定した後で、別のネットワーク側デバイスによって端末デバイス１２０に割り当てられたＩＤを取得する前に、端末デバイス１２０は、ネットワーク側デバイス１１０によって端末デバイス１２０に割り当てられたＩＤを用いることによって別のネットワーク側デバイスと通信しない。端末１２０が別のネットワーク側デバイスによって端末デバイス１２０に割り当てられたＩＤを再取得し、別のネットワーク側デバイスによって示されたターゲットグラントフリーリソースを取得することを必要とする具体的なプロセスは、図２に示されたプロセスと同一である。本明細書では、詳細を改めて説明する必要はない。
【００９９】
図４は、本願の実施形態によるデータ送信方法の概略フローチャートである。
【０１００】
４０１：ネットワーク側デバイス１１０は、端末デバイス１２０に割り当てられたＩＤを端末デバイス１２０に送信する。
【０１０１】
４０２：端末デバイス１２０は、汎用グラントフリーリソースを用いることによって、ネットワーク側デバイス１１０にデータメッセージを送信する。ここで、端末デバイス１２０によってネットワーク側デバイス１１０に送信されたデータメッセージは、端末デバイス１２０によって送信されたデータと、ネットワーク側デバイス１１０によって端末デバイス１２０に割り当てられたＩＤとを含む。
【０１０２】
端末デバイス１２０によって汎用グラントフリーリソースを取得する方式に関しては、図２に示された実施形態を参照する。本明細書では、詳細を改めて説明する必要はない。
【０１０３】
４０３：ネットワーク側デバイス１１０は、データメッセージに基づいて端末デバイス１２０のモビリティ情報を判定し得る。
【０１０４】
任意で、いくつかの実施形態においては、データメッセージは、モビリティ属性に関連する端末デバイス１１０の情報を反映し得る。例えば、ネットワーク側デバイス１１０はデータメッセージに基づいて端末デバイス１２０のサービスタイプを判定し得、端末デバイス１２０のサービスタイプに基づいて端末デバイス１２０のモビリティ属性を判定し、端末デバイス１２０のモビリティ情報を判定する。例えば、端末デバイス１２０のサービスタイプが固定された位置で完了するサービス、例えば、メータ読み取りサービスまたは環境モニタリングサービスを示す場合、端末デバイス１２０のモビリティ属性が固定端末デバイスを示す旨が決定され得る。端末デバイス１２０のサービスタイプが固定されない位置で完了するサービス、例えば、インテリジェントパーキングまたはインテリジェントトラッキングを示す場合、端末デバイス１２０のモビリティ属性が移動可能端末デバイスを示す旨が決定され得る。ネットワーク側デバイス１１０によって判定されるモビリティ情報は、端末デバイス１２０のモビリティ属性であり得る。
【０１０５】
任意で、いくつかの他の実施形態において、ネットワーク側デバイス１１０は、端末デバイス１２０によって送信されたデータメッセージに基づいて端末デバイス１２０の地理的位置情報、移動速度、および移動範囲のうち１または複数を判定し得る。これらの情報は、端末デバイス１２０のモビリティ情報である。
【０１０６】
４０４：ネットワーク側デバイス１１０は、端末デバイス１２０のモビリティ情報に基づいて、端末デバイス１２０によって用いられるターゲットグラントフリーリソースを判定し、そのターゲットグラントフリーリソースを端末デバイス１２０に示す。
【０１０７】
モビリティ情報が端末デバイス１２０のモビリティ属性である具体的な実装に関して、図２または図３に示された実施形態を参照する。本明細書では、詳細は改めて説明する必要はない。
【０１０８】
任意で、いくつかの実施形態において、モビリティ情報が、地理的位置情報、移動速度、および移動範囲のうち１または複数であるとき、ネットワーク側デバイス１１０は、モビリティ情報に基づいて端末デバイスのモビリティ属性を判定し得、端末デバイスのモビリティ属性に基づいてターゲットグラントフリーリソースを判定し得る。ネットワーク側デバイス１１０が端末デバイスのモビリティ属性に基づいてターゲットグラントフリーリソースを判定する具体的な実装に関して、図３に示された実施形態もまた参照する。本明細書において詳細を説明する必要はない。
【０１０９】
任意で、いくつかの他の実施形態において、モビリティ情報が、地理的位置情報、移動速度、および移動範囲のうち１または複数であるとき、ネットワーク側デバイス１１０は、地理的位置情報、移動速度、および移動範囲のうち１または複数に基づいてターゲットグラントフリーリソースを判定し得る。
【０１１０】
地理的位置情報は例として用いられる。複数回判定された地理的位置が変化しないままである場合、または地理的位置の変化範囲がプリセットされた変化範囲内である場合、ネットワーク側デバイス１１０は、複数のグラントフリーリソースのうちの１つのグラントフリーリソースを端末デバイス１２０のための専用グラントフリーリソースとして判定し得る。端末デバイス１２０の地理的位置が変化し、変化範囲がプリセットされた変化範囲を超過した場合、ネットワーク側デバイス１１０は、ターゲットグラントフリーリソースが汎用グラントフリーリソースである旨を決定し得る。
【０１１１】
先述の実施形態において、ネットワーク側デバイス１１０が地理的位置情報、移動速度、移動範囲に基づいてターゲットグラントフリーリソースを判定するとき、ネットワーク側デバイス１１０は一般化されたモビリティ判定基準を用いる。言い換えれば、端末デバイスが移動する場合であっても、端末デバイスの移動範囲が指定範囲内であるならば、複数のグラントフリーリソースのうちの１つのグラントフリーリソースが、端末デバイスのための専用グラントフリーリソースとして判定され得る。
【０１１２】
いくつかの他の実施形態において、ネットワーク側デバイス１１０が地理的位置情報、移動速度、および移動範囲に基づいてターゲットグラントフリーリソースを判定するとき、ネットワーク側デバイス１１０は、代わりに、狭く定義されたモビリティ判定基準を用い得る。具体的には、端末デバイスの地理的位置情報が変化するならば、または端末デバイスが移動するならば、端末デバイスは移動可能端末デバイスである旨みなされ得、ターゲットグラントフリーリソースは汎用グラントフリーリソースである旨決定される。端末デバイスの位置が変化しないままであるときのみ、複数のグラントフリーリソースのうちの１つのグラントフリーリソースが、端末デバイスのための専用グラントフリーリソースとして判定され得る。
【０１１３】
４０５：端末デバイス１２０が、ターゲットグラントフリーリソースを用いることによってネットワーク側デバイス１１０と通信する。
【０１１４】
段階４０４および段階４０５は、図２および図３に示された方法と類似する。本明細書では、詳細は改めて説明する必要はない。
【０１１５】
図４に示された技術的解決手段によれば、ネットワーク側デバイスは任意に、端末デバイスのモビリティ情報を判定し得る。端末デバイスの位置が比較的固定されている場合、端末デバイスがデータメッセージをネットワーク側デバイスに送信するときにＩＤを保持する必要はなく、データメッセージのサイズを低減する。加えて、図４に示された技術的解決手段によれば、グラントフリーリソースが使い切りとなって、いくつかの端末デバイスがグラントフリーリソースを用いることによってデータメッセージをネットワーク側デバイスに送信することができないケースが、回避されることがさらに保証され得る。
【０１１６】
図４に示される解決手段において、ネットワーク側デバイス１１０が、汎用グラントフリーリソースを用いることによって端末デバイス１２０によって送信されたデータメッセージを用いることによって、端末デバイス１２０のモビリティ情報を判定することが、理解され得る。したがって、端末デバイス１２０は、データメッセージをネットワーク側デバイス１１０に送信することによって、端末デバイス１２０のモビリティ情報をネットワーク側デバイス１１０に示すと、みなされ得る。
【０１１７】
加えて、図３に示された方法に類似して、いくつかの実施形態においては、ターゲットグラントフリーリソースが専用グラントフリーリソースであるとき、ネットワーク側デバイス１１０はさらに、ターゲットグラントフリーリソースの有効範囲を端末デバイス１２０に送信し得る。具体的な説明は上述の方法の説明を参照する。本明細書では、詳細を改めて説明する必要はない。
【０１１８】
さらに、いくつかの実施形態においては、端末デバイス１２０がネットワーク側デバイス１１０のサービス範囲から別のネットワーク側デバイスのサービス範囲に移動することを判定した場合、端末１２０は、別のネットワーク側デバイスによって端末デバイス１２０に割り当てられたＩＤを再取得し、別のネットワーク側デバイスによって示されたターゲットグラントフリーリソースを取得することを必要とする。加えて、ネットワーク側デバイス１１０のサービス範囲から別のネットワーク側デバイスのサービス範囲に移動することの判定の後で、別のネットワーク側デバイスによって端末デバイス１２０に割り当てられたＩＤの取得の前に、端末デバイス１２０は、ネットワーク側デバイス１１０によって端末デバイス１２０に割り当てられたＩＤを用いることによって別のネットワーク側デバイスと通信しない。端末１２０は別のネットワーク側デバイスによって端末デバイス１２０に割り当てられたＩＤを再取得して別のネットワーク側デバイスによって示されたターゲットグラントフリーリソースを取得する必要があるという具体的なプロセスは、図２に示されたプロセスと同一である。本明細書では、詳細を改めて説明する必要はない。
【０１１９】
図５は、本願の実施形態による端末デバイスの構造ブロック図である。図５に示されるように、端末デバイス５００は受信ユニット５０１および送信ユニット５０２を含む。
【０１２０】
受信ユニット５０１は第１識別子ＩＤを受信するように構成され、ここで、第１識別子ＩＤは第１ネットワーク側デバイスによって端末デバイス５００に割り当てられたＩＤであり、端末デバイス５００は第１エリアに位置し、第１エリアは第１ネットワーク側デバイスがサービスを提供するエリアであり、第１識別子ＩＤは第１エリアにおいて有効である。
【０１２１】
送信ユニット５０２は、端末デバイス５０１のモビリティ情報を第１ネットワーク側デバイスに示すように構成される。
【０１２２】
受信ユニット５０１は、第１ネットワーク側デバイスによって示されたターゲットグラントフリー情報を受信するようにさらに構成され、ここで、ターゲットグラントフリーリソースは専用グラントフリーリソースまたは汎用グラントフリーリソースであり、専用グラントフリーリソースを用いることによって送信ユニット５０２によって第１ネットワーク側デバイスに送信されたデータ情報は、端末デバイス５００によって送信されたデータを含み、汎用グラントフリーリソースを用いることによって送信ユニット５０２によって第１ネットワーク側デバイスに送信されたデータ情報は、端末デバイス５００によって送信されたデータおよび第１識別子ＩＤを含む。
【０１２３】
端末デバイス５００は、さらに、第１プロセスユニット５０３、第２プロセスユニット５０４、および第３プロセスユニット５０５を含み得る。第１プロセスユニット５０３は、モビリティ情報を判定するように構成される。第２プロセスユニット５０４は、端末デバイス５００が第１エリアに位置する旨を決定するように構成される。第３プロセスユニット５０３は、端末デバイス５００が第２エリアから第１エリアへ移動した旨を決定するように構成される。
【０１２４】
端末デバイス１２００の受信ユニット５０１、送信ユニット５０２、第１プロセスユニット５０３、第２プロセスユニット５０４、および第３プロセスユニット５０５の動作および機能に関しては、上述の方法における説明を参照する。繰り返しを回避するように、本明細書では詳細を改めて説明しない。
【０１２５】
第１プロセスユニット５０３は、プロセッサによって実装され得る。第２プロセスユニット５０４および第３プロセスユニット５０５は、測位に用いられるプロセッサおよび／またはチップによって実装され得る。受信ユニット５０１および送信ユニット５０２は送受信機によって実装され得る。
【０１２６】
図６は、本願の実施形態によるネットワーク側デバイスの構造ブロック図である。図６に示されるように、ネットワーク側デバイス６００はプロセスユニット６０１、送信ユニット６０２、および受信ユニット６０３を含む。
【０１２７】
プロセスユニット６０１は、第１識別子ＩＤを端末デバイスに割り当てるように構成され、ここで、端末デバイスは第１エリアに位置し、第１エリアはネットワーク側デバイス６００がサービスを提供するエリアであり、第１識別子ＩＤは第１エリアにおいて有効である。
【０１２８】
プロセスユニット６０１は、さらに、端末デバイスのモビリティ情報を取得するように構成される。
【０１２９】
プロセスユニット６０１は、さらに、モビリティ情報に基づいてターゲットグラントフリーリソースを判定するように構成され、ここで、ターゲットグラントフリーリソースは専用グラントフリーリソースまたは汎用グラントフリーリソースであり、汎用グラントフリーリソースを用いることによって受信ユニット６０３によって受信されるデータ情報は、データおよびデータを送信する端末デバイスのＩＤを含み、専用グラントフリーリソースを用いることによって受信ユニット６０３によって受信されるデータ情報は、データを含む。
【０１３０】
送信ユニット６０２は、ターゲットグラントフリーリソースを端末デバイスに示すように構成される。
【０１３１】
ネットワーク側デバイス６００のプロセスユニット６０１、送信ユニット６０２および受信ユニット６０３の動作および機能に関して、上述の方法における説明を参照する。繰り返しを回避するように、本明細書では詳細を改めて説明しない。
【０１３２】
プロセスユニット６０１は、プロセッサによって実装され得、送信ユニット６０２および受信ユニット６０３は、送受信機によって実装され得る。
【０１３３】
図７は、本願の実施形態による端末デバイスの構造ブロック図である。図７に示される端末デバイス７００は、プロセッサ７０１、メモリ７０２、および送受信機７０３を含む。
【０１３４】
端末デバイス７００における構成要素は、制御および／またはデータ信号を転送するように、内部接続パスを用いることによって、互いに通信する。
【０１３５】
本願の上述の実施形態において開示された方法は、プロセッサ７０１に適用され得、またはプロセッサ７０１によって実装され得る。プロセッサ７０１は集積回路チップであり得、信号プロセス性能を有する。一実装プロセスにおいて、上述の方法における段階は、プロセッサ７０１におけるハードウェア統合論理回路を用いることによって、または、ソフトウェア形態の命令を用いることによって、実装され得る。プロセッサ７０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラマブル論理デバイス、ディスクリートのゲートもしくはトランジスタロジックデバイス、またはディスクリートのハードウェアコンポーネントであり得る。本願の実施形態において開示されるものは、方法、段階、および論理ブロック図を実装または実行し得る。汎用プロセッサはマイクロプロセッサであってよく、または、プロセッサは任意の従来のプロセッサもしくは同様のものであってよい。本願の実施形態を参照して開示された方法の段階は、ハードウェアデコードプロセッサを用いることによって直接実行および実現されてよく、または、デコードプロセッサにおけるハードウェアおよびソフトウェアモジュールの組み合わせを用いることによって実行および実現されてもよい。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリメモリ（Ｒｅａｄ−Ｏｎｌｙ  Ｍｅｍｏｒｙ、ＲＯＭ）、プログラマブルリードオンリメモリ、電気消去可能プログラマブルメモリ、またはレジスタなどの、当技術分野における成熟した格納媒体に位置してよい。格納媒体はメモリ７０２に位置する。プロセッサ７０１はメモリ７０２において命令を読み出し、送受信機７０３と組み合わせて、上述の方法で端末デバイスによって実行される段階を実装する。
【０１３６】
いくつかの実施形態において、端末デバイス７００はさらに、測位のために用いられるチップを含み得る。チップは、全地球測位システム（Ｇｌｏｂａｌ  Ｐｏｓｉｔｉｏｎｉｎｇ  Ｓｙｓｔｅｍ、ＧＰＳ）などの技術を用いて、端末デバイスの位置を判定し得る。
【０１３７】
図７に示されたプロセッサ７０１、メモリ７０２、および送受信機７０３に加えて、端末デバイス７００は、アンテナ、ディスプレイ、および入力装置などの、さらにいくつかの必要な装置を含むべきであることが、理解され得る。冗長性を回避するように、図７では先述の装置は不図示である。
【０１３８】
図８は、本願の実施形態によるネットワーク側デバイスの構造ブロック図である。図８に示されたネットワーク側デバイス８００は、プロセッサ８０１、メモリ８０２、および送受信機８０３を含む。
【０１３９】
ネットワーク側デバイス８００の構成要素は、制御および／またはデータ信号を転送するように、内部接続パスを用いることによって、互いに通信する。
【０１４０】
本願の上述の実施形態において開示された方法は、プロセッサ８０１に適用され得、または、プロセッサ８０１によって実装され得る。プロセッサ８０１は、集積回路チップであり得、信号プロセス性能を有する。一実装プロセスにおいて、上述の方法における段階は、プロセッサ８０１におけるハードウェア統合論理回路を用いることによって、または、ソフトウェア形態における命令を用いることによって、実装され得る。プロセッサ８０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラマブル論理デバイス、ディスクリートのゲートもしくはトランジスタロジックデバイス、またはディスクリートのハードウェアコンポーネントであり得る。本願の実施形態において開示されたものは、方法、段階、および論理ブロック図を実装および実行し得る。汎用プロセッサはマイクロプロセッサであってよく、または、プロセッサは任意の従来のプロセッサもしくは同様のものであってよい。本願の実施形態を参照して開示された方法の段階は、ハードウェアデコードプロセッサを用いることによって直接実行および実現されてよく、または、デコードプロセッサにおけるハードウェアおよびソフトウェアモジュールの組み合わせを用いることによって実行および実現されてよい。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリメモリ（Ｒｅａｄ−Ｏｎｌｙ  Ｍｅｍｏｒｙ、ＲＯＭ）、プログラマブルリードオンリメモリ、電気消去可能プログラマブルメモリ、またはレジスタなどの、当技術分野における成熟した格納媒体に位置してよい。格納媒体はメモリ８０２に位置する。プロセッサ８０１はメモリ８０２における命令を読み出し、送受信機８０３と組み合わせて、上述の方法でネットワーク側デバイスによって実行される段階を実装する。
【０１４１】
図８に示されたプロセッサ８０１、メモリ８０２、および送受信機８０３に加えて、ネットワーク側デバイス８００はさらに、アンテナ、巡回プレフィックスリムーバ、および高速フーリエ変換プロセッサなどの、いくつかの必要な装置を含むべきであることが、理解され得る。冗長性を回避するように、先述の装置は図８には不図示である。
【０１４２】
当業者は、本明細書に開示された実施形態において説明された例の組み合わせにおいて、ユニットおよびアルゴリズム段階が電子的ハードウェアによって、またはコンピュータソフトウェアと電子的ハードウェアとの組み合わせによって実装され得ることを認識し得る。機能がハードウェアまたはソフトウェアのいずれによって実行されるかは、技術的解決手段の特定の用途および設計の制約条件によって決まる。当業者は、各特定の用途に関して説明された機能を実装する、異なる方法を用い得るが、それは、実装が本願の範囲を超えるとみなされるべきではない。
【０１４３】
当業者によって明確に理解され得るように、簡便および簡潔な説明を目的として、先述のシステム、装置およびユニットの詳細な動作プロセスについては、上述の方法の実施形態における対応するプロセスを参照されたい。本明細書では詳細は改めて説明しない。
【０１４４】
本願において提供された複数の実施形態において、開示されたシステム、装置、および方法は、他の態様でも実装されてよいことを理解されたい。例えば、説明された装置の実施形態は単に例である。例えば、ユニットの区分は、単に論理的な機能区分であり、実際の実装においては他の区分であってよい。例えば、複数のユニットまたは構成要素が別のシステムへと組み合わせられるか、統合されてよく、または、いくつかの特徴が無視されるか、または実行されなくてよい。加えて、表示された、または説明された、相互結合または直接結合または通信接続は、いくつかのインタフェースを用いることによって実装されてよい。装置またはユニットの間の間接結合または通信接続は、電気的、機械的、または他の形態において実装されてよい。
【０１４５】
別個の部分として説明されたユニットは、物理的に別個であってもよく、別個でなくてもよく、ユニットとして表示された部分は、物理的なユニットであってもよく、なくてもよく、一か所に位置してもよく、複数のネットワークユニット上に分散されてもよい。いくつかの、またはすべてのユニットは、実施形態の解決手段の目的を実現するための実際の要件に基づいて選択されてよい。
【０１４６】
加えて、本願の実施形態における機能ユニットは１つのプロセスユニットへと統合されてよく、または、各ユニットが単独で物理的に存在してよく、または、２つまたはそれ以上のユニットが１つのユニットへと統合される。
【０１４７】
機能がソフトウェア機能ユニットの形態で実装されて、独立した製品として販売または使用されるとき、機能はコンピュータ可読格納媒体に格納されてよい。そのような理解に基づいて、本願の技術的解決手段は本質的に、または先行技術に寄与する部分が、または技術的解決手段の一部が、ソフトウェア製品の形態で実装されてよい。コンピュータソフトウェア製品は、格納媒体に格納され、コンピュータデバイス（パーソナルコンピュータ、サーバ、ネットワーク側デバイス、または同様のもの）に、本願の実施形態において説明された方法のすべてまたは一部の段階を実行するように命令するための、複数の命令を含む。先述の格納媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを格納可能な任意の媒体を含む。
【０１４８】
先述の説明は、単に本願の具体的な実装にすぎず、本願の保護範囲を限定する意図はない。本願に開示された技術範囲内で、当業者によって容易に理解される任意の変形または置換は、本願の保護範囲に含まれるものとする。したがって、本願の保護範囲は請求項の保護範囲を対象とするものとする。
（項目１）
データ伝送方法であって、
端末デバイスが第１識別子ＩＤを受信する段階であって、上記第１識別子ＩＤは第１ネットワーク側デバイスによって上記端末デバイスに割り当てられたＩＤであり、上記端末デバイスは第１エリアに位置し、上記第１エリアは上記第１ネットワーク側デバイスがサービスを提供するエリアであり、上記第１識別子ＩＤは上記第１エリアにおいて有効である、段階と、
上記端末デバイスが上記端末デバイスのモビリティ情報を上記第１ネットワーク側デバイスに示す段階と、
上記端末デバイスが、上記第１ネットワーク側デバイスによって示されたターゲットグラントフリーリソースを受信する段階であって、上記ターゲットグラントフリーリソースは専用グラントフリーリソースまたは汎用グラントフリーリソースであり、上記専用グラントフリーリソースを用いることによって上記端末デバイスによって上記第１ネットワーク側デバイスに送信されるデータ情報は、上記端末デバイスによって送信されるデータを含み、上記汎用グラントフリーリソースを用いることによって上記端末デバイスによって上記第１ネットワーク側デバイスに送信されるデータ情報は、上記端末デバイスによって送信されるデータ、および上記第１識別子ＩＤを含む、段階とを備える、
方法。
（項目２）
上記端末デバイスが、上記端末デバイスのモビリティ情報を上記第１ネットワーク側デバイスに示す上記段階は、
上記端末デバイスが、上記モビリティ情報を判定して、上記第１ネットワーク側デバイスに上記モビリティ情報を送信する段階、または、
上記端末デバイスが、上記第１ネットワーク側デバイスに第１データ情報を送信する段階であって、上記第１データ情報は、上記第１識別子ＩＤおよび上記端末デバイスによって送信されるデータを含む、段階を含む、
項目１に記載の方法。
（項目３）
上記端末デバイスが上記モビリティ情報を判定する上記段階は、
上記端末デバイスが上記端末デバイスのステータス情報を取得する段階であって、上記端末デバイスの上記ステータス情報は上記端末デバイスの位置情報および／または上記端末デバイスのモビリティ属性を含む、段階と、
上記端末デバイスが、上記端末デバイスの上記ステータス情報に基づいて上記端末デバイスの上記モビリティ情報を判定する段階と
を含む、項目２に記載の方法。
（項目４）
上記方法はさらに、
上記ターゲットグラントフリーリソースが上記専用グラントフリーリソースである旨を決定したとき、上記端末デバイスが、上記専用グラントフリーリソースを用いることによって上記第１ネットワーク側デバイスに第２データ情報を送信する段階であって、上記第２データ情報は、上記端末デバイスによって送信されるデータを含む段階、または、
上記ターゲットグラントフリーリソースが上記汎用グラントフリーリソースである旨を決定したとき、上記端末デバイスが、上記汎用グラントフリーリソースを用いることによって上記第１ネットワーク側デバイスに第３データ情報を送信する段階であって、上記第３データ情報は上記端末デバイスによって送信されるデータ、および上記第１識別子ＩＤを含む、段階を備える、
項目１から３のいずれか一項に記載の方法。
（項目５）
上記ターゲットグラントフリーリソースが上記専用グラントフリーリソースであるとき、上記方法はさらに、
上記端末デバイスが、上記第１ネットワーク側デバイスによって送信される上記ターゲットグラントフリーリソースの有効範囲を受信する段階と、
上記端末デバイスが、上記ターゲットグラントフリーリソースの上記有効範囲を超過しているかどうか判定する段階であって、
上記ターゲットグラントフリーリソースの上記有効範囲を超過していない場合、上記専用グラントフリーリソースを用いることによって第２データ情報を上記第１ネットワーク側デバイスに送信する段階であって、上記第２データ情報は、上記端末デバイスによって送信されるデータを含む段階、または、
上記ターゲットグラントフリーリソースの有効範囲を超過している場合、上記汎用グラントフリーリソースを用いることによって第３データ情報を上記第１ネットワーク側デバイスに送信する段階であって、上記第３データ情報は上記端末デバイスによって送信されるデータ、および上記第１識別子ＩＤを含む、段階とを備える、
項目１から３のいずれか一項に記載の方法。
（項目６）
上記端末デバイスが上記汎用グラントフリーリソースを用いることによって上記第２データ情報を上記第１ネットワーク側デバイスに送信する上記段階の前に、上記方法はさらに、
上記端末デバイスが、上記端末デバイスが上記第１エリアに位置する旨を決定する段階を備える、項目４または５に記載の方法。
（項目７）
上記端末デバイスが、上記端末デバイスのモビリティ情報を上記第１ネットワーク側デバイスに示す上記段階の前に、上記方法はさらに、
上記端末デバイスが、第２エリアから上記第１エリアに移動する旨を決定する段階であって、第２ネットワーク側デバイスが上記第２エリアにおいてサービスを提供する、段階をさらに含む、
項目１から６のいずれか一項に記載の方法。
（項目８）
データ伝送方法であって、
ネットワーク側デバイスが、第１識別子ＩＤを端末デバイスに割り当てる段階であって、上記端末デバイスは第１エリアに位置し、上記第１エリアは上記ネットワーク側デバイスがサービスを提供するエリアであり、上記第１識別子ＩＤは上記第１エリアにおいて有効である、段階と、
上記ネットワーク側デバイスが、上記端末デバイスのモビリティ情報を取得する段階と、
上記ネットワーク側デバイスが、上記モビリティ情報に基づいてターゲットグラントフリーリソースを判定する段階であって、上記ターゲットグラントフリーリソースは専用グラントフリーリソースまたは汎用グラントフリーリソースであり、上記汎用グラントフリーリソースを用いることによって上記ネットワーク側デバイスによって受信されたデータ情報は、データおよび上記データを送信する端末デバイスのＩＤを含み、上記専用グラントフリーリソースを用いることによって上記端末デバイスによって受信されたデータ情報は、データを含む、段階と、
上記ネットワーク側デバイスが、上記ターゲットグラントフリーリソースを上記端末デバイスに示す段階とを備える
方法。
（項目９）
上記ネットワーク側デバイスが上記モビリティ情報に基づいてターゲットグラントフリーリソースを判定する上記段階は、
上記端末デバイスの位置が固定されているとき、上記ネットワーク側デバイスが、上記ターゲットグラントフリーリソースが上記専用グラントフリーリソースである旨を決定する段階、または、
上記端末デバイスの位置が固定されていないとき、上記ネットワーク側デバイスが、上記ターゲットグラントフリーリソースが上記汎用グラントフリーリソースである旨を決定する段階を備える、項目８に記載の方法。
（項目１０）
上記ネットワーク側デバイスが上記モビリティ情報に基づいてターゲットグラントフリーリソースを判定する上記段階は、
上記端末デバイスの位置が固定されるか、上記端末デバイスの位置変化が指定範囲内であるとき、上記ネットワーク側デバイスが、上記ターゲットグラントフリーリソースが上記専用グラントフリーリソースである旨を決定する段階、または、
上記端末デバイスの位置変化が上記指定範囲を超過するとき、上記ネットワーク側デバイスが、上記ターゲットグラントフリーリソースが上記汎用グラントフリーリソースである旨を決定する段階を備える、
項目８に記載の方法。
（項目１１）
上記ネットワーク側デバイスによって判定された上記ターゲットグラントフリーリソースが上記専用グラントフリーリソースであるとき、上記方法はさらに、
上記ネットワーク側デバイスが、専用グラントフリーリソースの有効範囲を判定する段階と、
上記ネットワーク側デバイスが、上記有効範囲を上記端末デバイスに送信する段階とを備える、
項目９または１０に記載の方法。
（項目１２）
上記ネットワーク側デバイスによって判定された上記ターゲットグラントフリーリソースが上記専用グラントフリーリソースであるとき、方法はさらに、
上記ネットワーク側デバイスが、上記専用グラントフリーリソースを用いることによって第１データメッセージを受信する段階と、
上記ネットワーク側デバイスが、上記第１データメッセージによって保持されるデータが上記端末デバイスによって送信される旨を決定する段階とを備える、
項目９から１１のいずれか一項に記載の方法。
（項目１３）
上記方法はさらに、
上記ネットワーク側デバイスが、上記汎用グラントフリーリソースを用いることによって第２データメッセージを受信する段階と、
上記ネットワーク側デバイスが、上記第２データメッセージによって保持されるＩＤが上記第１識別子ＩＤである旨を決定する段階と、
上記ネットワーク側デバイスが、上記第２データメッセージによって保持されたデータが上記端末デバイスによって送信される旨を決定する段階とを備える、
項目９から１１のいずれか一項に記載の方法。
（項目１４）
上記ネットワーク側デバイスが、上記端末デバイスのモビリティ情報を取得する上記段階は、
上記ネットワーク側デバイスが、上記端末デバイスによって送信された上記モビリティ情報を受信する段階、または、
上記ネットワーク側デバイスが、上記モビリティ情報を判定する段階を備える、
項目８から１３のいずれか一項に記載の方法。
（項目１５）
上記ネットワーク側デバイスが上記モビリティ情報を判定する上記段階は、
上記ネットワーク側デバイスが、上記汎用グラントフリーリソースを用いることによって第３データメッセージを受信する段階であって、上記第３データメッセージは上記第１識別子ＩＤを保持する、段階と、
上記ネットワーク側デバイスが、上記第３データメッセージに基づいて上記モビリティ情報を判定する段階とを備える、
項目１４に記載の方法。
（項目１６）
端末デバイスであって、
上記端末デバイスは受信ユニットおよび送信ユニットを備え、
上記受信ユニットは第１識別子ＩＤを受信するように構成され、上記第１識別子ＩＤは第１ネットワーク側デバイスによって上記端末デバイスに割り当てられたＩＤであり、上記端末デバイスは第１エリアに位置し、上記第１エリアは、上記第１ネットワーク側デバイスがサービスを提供するエリアであり、上記第１識別子ＩＤは上記第１エリアにおいて有効であり、
上記送信ユニットは、上記端末デバイスのモビリティ情報を上記第１ネットワーク側デバイスに示すように構成され、上記受信ユニットはさらに、上記第１ネットワーク側デバイスによって示されたターゲットグラントフリーリソースを受信するように構成され、上記ターゲットグラントフリーリソースは専用グラントフリーリソースまたは汎用グラントフリーリソースであり、上記専用グラントフリーリソースを用いることによって上記第１ネットワーク側デバイスに送信ユニットによって送信されるデータ情報は、上記端末デバイスによって送信されるデータを含み、上記汎用グラントフリーリソースを用いることによって上記第１ネットワーク側デバイスに上記送信ユニットによって送信されるデータ情報は、上記端末デバイスによって送信されるデータ、および上記第１識別子ＩＤを含む、
端末デバイス。
（項目１７）
上記端末デバイスはさらに、
上記モビリティ情報を判定するように構成される第１プロセスユニットを備え、
上記送信ユニットは、上記第１プロセスユニットによって判定された上記モビリティ情報を上記第１ネットワーク側デバイスに送信するように構成される、
項目１６に記載の端末デバイス。
（項目１８）
上記送信ユニットは、上記第１ネットワーク側デバイスに第１データ情報を送信するように具体的に構成され、上記第１データ情報は上記第１識別子ＩＤおよび上記端末デバイスによって送信されたデータを含む、項目１６に記載の端末デバイス。
（項目１９）
上記第１プロセスユニットは、上記端末デバイスのステータス情報を取得し、上記端末デバイスの上記ステータス情報に基づいて上記端末デバイスの上記モビリティ情報を判定するように具体的に構成され、上記端末デバイスの上記ステータス情報は、上記端末デバイスの位置情報および／または上記端末デバイスのモビリティ属性を含む、項目１７に記載の端末デバイス。
（項目２０）
上記送信ユニットはさらに、上記ターゲットグラントフリーリソースが上記専用グラントフリーリソースであるとき、上記専用グラントフリーリソースを用いることによって上記第１ネットワーク側デバイスに第２データ情報を送信するように構成され、上記第２データ情報は上記端末デバイスによって送信されたデータを含み、または、
上記送信ユニットはさらに、上記ターゲットグラントフリーリソースが上記汎用グラントフリーリソースであるとき、上記汎用グラントフリーリソースを用いることによって上記第１ネットワーク側デバイスに第３データ情報を送信するように構成され、上記第３データ情報は上記端末デバイスによって送信されたデータ、および上記第１識別子ＩＤを含む、
項目１６から１９のいずれか一項に記載の端末デバイス。
（項目２１）
上記受信ユニットはさらに、第１ネットワーク側デバイスによって送信された上記ターゲットグラントフリーリソースの有効範囲を受信するように構成され、
上記送信ユニットはさらに、上記ターゲットグラントフリーリソースの上記有効範囲を超過していないとき、上記専用グラントフリーリソースを用いることによって第２データ情報を上記第１ネットワーク側デバイスに送信するように構成され、または、上記ターゲットグラントフリーリソースの上記有効範囲を超過しているとき、汎用グラントフリーリソースを用いることによって第３データ情報を上記第１ネットワーク側デバイスに送信するように構成され、上記第２データ情報は上記端末デバイスによって送信されるデータを含み、上記第３データ情報は、上記端末デバイスによって送信されるデータ、および上記第１識別子ＩＤを含む、
項目１６から１９のいずれか一項に記載の端末デバイス。
（項目２２）
上記端末デバイスはさらに、上記端末デバイスが上記第１エリアに位置する旨を決定するように構成される第２プロセスユニットを備える、項目２０または２１に記載の端末デバイス。
（項目２３）
上記端末デバイスは、上記端末デバイスが第２エリアから上記第１エリアに移動する旨を決定するように構成される第３プロセスユニットをさらに備え、第２ネットワーク側デバイスが上記第２エリアにおいてサービスを提供する、項目１６から２２のいずれか一項に記載の端末デバイス。
（項目２４）
プロセスユニットと、送信ユニットと、受信ユニットとを備えるネットワーク側デバイスであって、
上記プロセスユニットは第１識別子ＩＤを端末デバイスに割り当てるように構成され、上記端末デバイスは第１エリアに位置し、上記第１エリアは上記ネットワーク側デバイスがサービスを提供するエリアであり、上記第１識別子ＩＤは上記第１エリアにおいて有効であり、
上記プロセスユニットはさらに、上記端末デバイスのモビリティ情報を取得するように構成され、
上記プロセスユニットはさらに、上記モビリティ情報に基づいてターゲットグラントフリーリソースを判定するように構成され、上記ターゲットグラントフリーリソースは専用グラントフリーリソースまたは汎用グラントフリーリソースであり、上記汎用グラントフリーリソースを用いることによって上記受信ユニットによって受信されたデータ情報は、データおよび上記データ情報を送信する端末デバイスのＩＤを含み、上記専用グラントフリーリソースを用いることによって受信ユニットによって受信されたデータ情報は、データを含み、
上記送信ユニットは、上記ターゲットグラントフリーリソースを上記端末デバイスに示すように構成される、
ネットワーク側デバイス。
（項目２５）
上記プロセスユニットは、上記端末デバイスの位置が固定されているとき、上記ターゲットグラントフリーリソースが上記専用グラントフリーリソースである旨を決定するように具体的に構成され、または、上記端末デバイスの位置が固定されていないとき、上記ターゲットグラントフリーリソースが上記汎用グラントフリーリソースである旨を決定するように具体的に構成される、項目２４に記載のネットワーク側デバイス。
（項目２６）
上記プロセスユニットは、上記端末デバイスの位置が固定されているか、上記端末デバイスの位置変化が指定範囲内であるとき、上記ターゲットグラントフリーリソースが上記専用グラントフリーリソースである旨を決定するように具体的に構成され、または、上記端末デバイスの位置変化が上記指定範囲を超過するとき、上記ターゲットグラントフリーリソースが上記汎用グラントフリーリソースである旨を決定するように具体的に構成される、項目２４に記載のネットワーク側デバイス。
（項目２７）
上記プロセスユニットはさらに、上記判定されたターゲットグラントフリーリソースが、上記専用グラントフリーリソースであるとき、上記専用グラントフリーリソースの有効範囲を判定するように構成され、
上記送信ユニットはさらに、上記有効範囲を上記端末デバイスに送信するように構成される、
項目２４または２５に記載のネットワーク側デバイス。
（項目２８）
上記受信ユニットは、第１データメッセージを受信するようにさらに構成され、
上記プロセスユニットは、上記受信ユニットが上記専用グラントフリーリソースを用いることによって上記第１データメッセージを受信する旨を決定するとき、上記第１データメッセージによって保持されるデータが上記端末デバイスによって送信される旨を決定するようにさらに構成される、
項目２４から２７のいずれか一項に記載のネットワーク側デバイス。
（項目２９）
上記受信ユニットは、第２データメッセージを受信するようにさらに構成され、
上記プロセスユニットは、上記受信ユニットが上記汎用グラントフリーリソースを用いることによって上記第２データメッセージを受信する旨を決定したとき、上記第２データメッセージによって保持されたＩＤは上記第１識別子ＩＤである旨を決定し、上記第２データメッセージによって保持されたデータは上記端末デバイスによって送信される旨を決定するようにさらに構成される、
項目２４から２７のいずれか一項に記載のネットワーク側デバイス。
（項目３０）
上記受信ユニットは、上記端末デバイスによって送信される第１モビリティ情報を受信するようにさらに構成され、上記プロセスユニットは、上記モビリティ情報が上記受信ユニットによって受信された上記第１モビリティ情報である旨を決定するように具体的に構成される、項目２４から２９のいずれか一項に記載のネットワーク側デバイス。
（項目３１）
上記受信ユニットは、上記汎用グラントフリーリソースを用いることによって第３データメッセージを受信するように具体的に構成され、上記第３データメッセージは上記第１識別子ＩＤを保持し、上記プロセスユニットは、上記第３データメッセージに基づいて上記モビリティ情報を判定するように具体的に構成される、項目３０に記載のネットワーク側デバイス。
（項目３２）
上記プロセスユニットは、上記モビリティ情報を判定するように具体的に構成される、項目２４から２９のいずれか一項に記載のネットワーク側デバイス。
【国際調査報告】
2020502891.tif 000011
2020502891.tif 000012
2020502891.tif 000013
2020502891.tif 000014